【事件の表示】
　特許第３２０３５７６号「パチンコ機」の請求項１に係る特許に対する特許異議の申立てについて、次のとおり決定する。
【結　論】
　訂正を認める。
　特許第３２０３５７６号の請求項１に係る特許を取り消す。
【理　由】
［１］手続の経緯
　 本件特許第３２０３５７６号の請求項１に係る発明は、平成３年６月１４日に特許出願された特願平３−１６８９８１号を分割して、平成１０年６月１５日に新たな特許出願としたものであって、平成１３年６月２９日にその特許権の設定登録がなされ、その後、細江裕実より特許異議申立がなされ、取消しの理由が通知され、その指定期間内である、平成１４年９月２４日に訂正請求がなされたものである。
　　
　　
［２］訂正の適否
　（１）．訂正の内容
訂正事項ａ
　特許請求の範囲の請求項１の記載について、（ア）「信号」とあるのを、「賞球数信号」に、（イ）「遊技盤制御基板」とあるのを「と共に、遊技情報をホールコンピュータへ送出するための中継接続端子を備えた中継端子板と接続される遊技盤制御基板」に、（ウ）「枠制御基板」とあるのを「と共に、遊技情報をホールコンピュータへ送信する中継コネクタ端子を備えた中継端子板に接続される枠制御基板」に、（エ）．「入賞球排出通路、及び下皿が満杯になって溢れた球によって作動するオーバーフロースイッチ」とあるのを、「入賞球排出通路とからなる入賞球が通る一連の球通路と、下皿が満杯になって溢れた球によって作動するオーバーフロースイッチと、」と訂正し、
　全体を
　「外枠に前枠を蝶着し、該
前枠に対して
　前記前枠の裏面側には、前記遊技盤に設けられた入賞口への入賞検出に基づいて、枠制御基板に
賞球数
と共に、遊技情報をホールコンピュータへ送出するための中継接続端子を備えた中継端子板と接続される
と共に、遊技情報をホールコンピュータへ送信する中継コネクタ端子を備えた中継端子板に接続される
　前記前枠の裏面側に、当該前枠に対し一端部を開閉可能に蝶着する透視可能な合成樹脂からなる機構枠セット部材を設け、
　前記機構枠セット部材は、少なくとも前記蝶着側に設けられた前記賞球払出装置と、入賞口へ入賞した入賞球を誘導する誘導路、誘導された入賞球を一列に整列させる整流路、該整流路に流下した入賞球を導く入賞球誘導路、該入賞球誘導路の入賞球を排出する入賞球排出通路
とからなる入賞球が通る一連の球通路と、
と
を備えていることを特徴とするパチンコ機。」
　と訂正する。
　　
訂正事項ｂ
    明細書の段落【０００５】に記載されている、（ア）「信号」とあるのを、「賞球信号」に、（イ）「遊技盤制御基板」とあるのを「と共に、遊技情報をホールコンピュータへ送出するための中継接続端子を備えた中継端子板と接続される遊技盤制御基板」に、（ウ）「枠制御基板」とあるのを「と共に、遊技情報をホールコンピュータへ送信する中継コネクタ端子を備えた中継端子板に接続される枠制御基板」に、（エ）．「入賞球排出通路、及び下皿が満杯になって溢れた球によって作動するオーバーフロースイッチ」とあるのを、「入賞球排出通路とからなる入賞球が通る一連の球通路と、下皿が満杯になって溢れた球によって作動するオーバーフロースイッチと、」と訂正する。
　　訂正事項Ｃ
　  明細書の段落【００９８】に記載されている、（ア）「信号」とあるのを、「賞球信号」に、（イ）「遊技盤制御基板」とあるのを「と共に、遊技情報をホールコンピュータへ送出するための中継接続端子を備えた中継端子板と接続される遊技盤制御基板」に、（ウ）「枠制御基板」とあるのを「と共に、遊技情報をホールコンピュータへ送信する中継コネクタ端子を備えた中継端子板に接続される枠制御基板」に、（エ）．「入賞球排出通路、及び下皿が満杯になって溢れた球によって作動するオーバーフロースイッチ」とあるのを、「入賞球排出通路とからなる入賞球が通る一連の球通路と、下皿が満杯になって溢れた球によって作動するオーバーフロースイッチと、」と訂正する。
　　
　（２）．訂正要件充足性の検討
　　訂正事項ａ（ア）〜（エ）は、特許請求の範囲の請求項１の減縮を目的とするものであり、前記（ア）については【００８０】及び【００９３】に、前記（イ）については【００４１】に、前記（ウ）については【００３３】、【００３８】に、前記（エ）については【００１５】、【００１７】、【００２１】、【００６１】に各々記載されているから、当該訂正は減縮を目的とした訂正に該当し、また、訂正事項ｂ、ｃは上記訂正事項ａと整合を図るものであるから、明瞭でない記載の釈明を目的とした明細書の訂正に該当し、何れも新規事項の追加には該当せず、実質的に特許請求の範囲を拡張又は変更するものではない。
　　　
　（３）．まとめ
　　したがって、上記訂正は、特許法第１２０条の４第３項で準用する平成６年法律第１１６号による改正前の特許法第１２６条第１項ただし書、第２項及び第３項の規定に適合するので当該訂正を認める。
　　
　　
［３］特許異議申立についての判断
　（１）．本件発明の認定
　　＜１＞．請求項１に係る発明は、以下のとおり。
前記［２］で示したように前記訂正が認められるものであるから、本件の請求項１に係る発明（以下「本件発明１」という）は、前記訂正に係る訂正明細書の特許請求の範囲の請求項１に記載されたとおりのものである（前記［２］訂正事項ａ参照）。
　　
　（２）．特許法第２９条第２項の検討
　　＜１＞．刊行物記載事項
　　　当審で通知した取消理由に引用された、（Ａ）特開平２−１０２６８６号公報（異議申立人細江裕実が提出した甲第１号証）、（Ｂ）特開平３−１２３５７７号公報（異議申立人細江裕実が提出した甲第４号証）、（Ｃ）特開平１−１６６７８５号公報（異議申立人細江裕実が提出した甲第２号証）、（Ｄ）実公平２−４１０１９号公報（異議申立人細江裕実が提出した甲第５号証）、（Ｅ）特開平１−２３６０７９号公報（異議申立人細江裕実が提出した甲第８号証）には、各々、以下の事項が記載されている。
　　
　　（Ａ）．特開平２−１０２６８６号公報（異議申立人細江裕実が提出した甲第１号証、以下「刊行物Ａ」という）には、以下の事項が記載されている。
　　　（Ａ−１）．「第１図は本発明が適用されるパチンコ遊技機の前面の構成例を示すもので、遊技盤１００の前面には、下部の操作ダイアル１０１により駆動される打球発射装置１０２によって発射された打球を遊技盤１００の上方部まで案内するガイドレール１０３が配設され、遊技盤１００前面のガイドレール１０３とガラス板とによって囲まれた空間に遊技領域が構成されている。」（第２頁左下欄第１４行〜同頁右下欄第１行）
  　　（Ａ−２）．「上記構成の遊技盤１００を保持するパチンコ遊技機の保持枠１１３の上部には、打球発射装置１０２の操作ダイヤル１０１を操作したときに点灯されるパイロットランプ１２５および遊技客による不正がなされたり、特別遊技が発生したときなどに点灯される装飾表示ランプ兼エラー表示ランプとしての表示器１２６が設けられている。」（第３頁右上欄第１１〜１７行）
　　　（Ａ−３）．「第４図は、変動入賞装置５０が取り付けられた遊技機１００の裏面を示すもので、これらの裏面側は集合樋１７１によって覆われている。集合樋１７１は入賞球を遊技盤１００の裏面に沿って流下させて集めるもので、遊技盤１００の裏面と少なくとも球１個分の間隔幅を有し、かつ、左右両端には側壁が、また、下部には一側（右）から他側（左）に向かって緩やか傾斜した流下樋１７１ａが形成されている。流下樋１７１ａの終端に後述の入賞球処理装置１８０（第５図）が揺動可能に配設され、流下樋１７１ａ上を流下する入賞球を１個ずつ分離する。」（第４頁右上欄第６〜１７行）
　　　（Ａ−４）．「また、前記入賞球誘導樋１４１ｋと１４１?とで画成された集合流路の下端開口部には、入賞球誘導樋によって集められた特別入賞口５４および一般入賞口５５中への入賞球を検出したりその入賞個数を計数するセーフ球検出手段としての入賞個数検出器（１３個排出の入賞球を検出するセーフセンサ１をも兼ねている）１２９が設置されている。」（第４頁右下欄第１６行〜第５頁左上欄第３行）
　　　（Ａ−５）．「第５図には第１図に示したパチンコ遊技機の裏機構の構成例を示す。裏機構盤２００の上部には賞品球としての予備球の貯留タンク２０１が配設され、この貯留タンク２０１の一端には内部の予備球を自作用的に整列させて誘導する案内樋２０２が接続されている。案内樋２０２は２条の通路を有して緩やかに傾斜され、途中に振り子式の球ならし２０３と押圧式の球ならし２１５とが設けられており、それによって、予備球は案内樋２０２を流下する間に２列に整列される。
　そして、上記案内樋２０２の流下端部に、下部に裏メカ制御装置３００が取り付けられた賞品球排出装置２２０が配設されている。　パチンコ遊技機前面の遊技盤１００内に設けられた入賞部５６、１０８、１０９、１２０へ入賞した遊技球は裏面に回収されて集合棚１７１ａによって一箇所に集められ、入賞球処理装置１８０により分離され、賞品球排出装置２２０が作動されて所定数（例えば、１０個）の賞品球が排出（小排出）される。」（第５頁左上欄第４行〜同頁右上欄第４行）
　　　（Ａ−６）．「供給皿１１５が一杯になると、受皿１１６（第１図）中に流出され、受皿１１６が一杯になると、分流樋２５４の途中に設けられたオーバーフロー検出器２５５により検出され、例えば、打球発射装置１０２（第１図）の駆動を停止させるようになっているとともに、遊技機の前面に設けられたオーバーフローランプ１２７（第１図）が点灯されて遊技者に報知される。」（第５頁左下欄第６〜１４行）
　　　（Ａ−７）．「入賞球処理装置１８０によって上記のように分離された遊技球は、入賞球導出樋２４０を流下する過程で、その途中に設置されたセーフ球（入賞球）検出手段としての入賞球検出器２４１（以下、セーフセンサ２という）によって検出される。」（第５頁右上欄第１４〜１８行）
　　　（Ａ−８）．「裏機構盤２００の上部には、ターミナル基板２１０が取り付けられ、該ターミナル基板２１０にはアラームスイッチ出力端子２１１、補球要求スイッチ出力端子２１２および球抜き指令入力端子２１３が設置されている。」（第５頁左下欄第１７行〜同頁右下欄第１行）
　　　（Ａ−９）．「球抜き指令入力端子２１３により球抜きを行ないたい場合は、該入力端子に中央管理装置（図外）から球抜き指令信号を入力させると、球抜きソレノイド２６５が作動（オン）されて切替ゲート２６４が賞品球導出樋２５３側へ回動される。」（第５頁右下欄末行〜第６頁左上欄第４行）
　　　（Ａ−１０）．「また、裏機構盤２００には、上記賞品球排出装置２２０やオーバーフロー検出器２５５からの検出信号により打球発射の停止、各種表示装置の駆動などパチンコ遊技機全体の電気的な制御を行なうための裏メカ制御装置３００が前記賞品球排出装置２２０と一体的に設置され、遊技盤１００前面の特定入賞口１０８、１０９や変動入賞装置５０の特別入賞口５４等に内蔵された検出器からの検出信号に基づいてそれらの遊技動作を制御する遊技内容（役物）制御装置６００が設置されている。」（第６頁右上欄第２〜１２行）
　　　（Ａ−１１）．「第１４図には、上記のように構成されたパチンコ遊技機に設置された裏メカ制御装置３００の制御回路図の一例を示す。同図において符号３００Ａを付して示すものは、制御装置３００を構成するマイクロコンピュータである。」（第１２頁右上欄第１６行〜同頁左下欄第１行）
　　　（Ａ−１２）．「このようにしてマイクロコンピュータ３００Ａが作動状態になっているときに、役物制御回路（第１１図）のセーフセンサ１（１２９）からの検出信号に基づく賞球排出が行われる場合は、賞球数出力器６６３を介して多い排出個数（例えば、１３個）の賞球出力信号が、役物制御回路（第１１図）のセーフセンサ１（１２９）の検出信号に基づかない賞球排出の場合は、賞球数出力器６６３を介してより少ない排出個数（例えば、１０個）賞球出力信号が、それぞれ入力処理部３１０およびインバータ３１１を介して中央処理装置３００Ａに入力される。しかる後、中央処理装置３００Ａからの賞球排出指令信号（Ｈレベル信号）がドライバ回路３８０，３９０のトランジスタ３８２、３９２のベースに送られることにより、」（第１３頁右上欄第１３行〜同頁左下欄第８行）
　　　（Ａ−１３）．してみると、刊行物Ａには、以下の構成からなるパチンコ機の発明が記載されていることとなる。
　　　　（ア）．遊技盤１００は、外枠に保持され、当該遊技盤の裏面側には裏機構盤が配設されていること。
　　　　（イ）．裏メカ制御装置３００は、役物制御回路から、賞球数出力信号を受信して、賞球排出制御をすること。（前記Ａ−１２参照）
　　　　（ウ）．遊技内容（役物）制御装置６００は遊技動作を制御し、制御装置３００を構成する中央処理装置３００Ａに賞球数出力信号を出力すること。（前記Ａ−１２、Ａ−１０参照）
　　　　（エ）．中央管理装置と接続するターミナル基板２１０が裏機構盤２００に配設されていること。（前記Ａ−８，Ａ−９）
　　　　（オ）．賞球払出装置２２０、入賞球導出路２４０、オーバーフロー検出器２５５は、裏機構盤に配設されていること（前記Ａ−７、Ａ−１０、及び第５図と第４図参照）。
　　
　　（Ｂ）特開平３−１２３５７７号公報（異議申立人細江裕実が提出した甲第４号証、以下「刊行物Ｂ」という）記載事項
　　　（Ｂ−１）．「セーフ球流下路５２に設けたセーフ球センサ５３がオンになると、賞球信号記憶に「１」を加算し、記憶数が「１０」以上になると、賞球信号出力をパルス信号として出力し、賞球信号記憶から「１０」を減算する。すなわち、セーフ球が「１０」を越える毎に賞球信号が管理装置へデータ集計用信号として出力される。」（第７頁右下欄第１３〜１９行）
　　　（Ｂ−２）．「第８図に電気的制御装置４９を示す。この電気的制御装置４９は、裏機構盤４５に取付ける基板５７上に、第１演算記憶手段、第２演算記憶手段、第３演算記憶手段、第４演算記憶手段、第５演算記憶手段等からなるＣＰＵ５８を有し、このＣＰＵ５８を覆うカバー部材を取付けてある。また、基板５７の一端には、回収球信号等を出力するための信号端子６０・・・が配設してあり、遊技店内の管理室等に設けられた中央処理装置と電気的に連絡している。」（第４頁右下欄第１２行〜第５頁左上欄第１行）
　　　（Ｂ−３）．「第９図に上記した電気的制御装置４９のブロック図を示す。電気的制御装置４９内のＣＰＵ５８は、ＲＯＭ６６、ＲＡＭ６７、サウンドジェネレータ６８、論理演算回路６９、割込タイマー回路７０、入力ポートバッファ７１、第１出力ポートラッチ７２、第２出力ポートラッチ７３、第３出力ポートラッチ７４等からなる。」（第５頁右上欄第１６行〜同頁左下欄第３行）
　　　（Ｂ−４）．「入力ポートバッファ７１は外部からの入力信号をＣＰＵ５８内に読み込むためのゲート回路であり、出力ポートラッチ７１，７２、７３は、外部への出力信号を一時的に保存するためのラッチ回路である。」（第５頁右下欄第４〜７行）
　　　（Ｂ−５）．「また、電気的制御装置４９の第２出力ポートラッチ７３からは、第２ドライバ８３を介して、割数表示器６２へ出力信号が送出されるととともに、第１半導体リレー８４を介して、回収球信号、賞球信号、ゲーム中信号、大当り信号等の出力信号が送出される。」（第６頁左上欄第１０〜１５行）
（Ｂ−６）．第９図には、第１半導体リレー８４を介して、回収球信号出力、賞球信号出力、ゲーム中信号出力、大当り信号出力等がデータ集計用信号と記載されている。
　　　（Ｂ−７）．してみると、刊行物Ｂには以下の事項が記載されている。
　すなわち、
　パチンコの電気的制御装置から、回収球信号、賞球信号、ゲーム中信号、大当り信号等の遊技情報が管理室等に設けられた中央処理装置へデータ集計用信号として出力されること
　　　
　　（Ｃ）．特開平１−１６６７８５号公報（異議申立人細江裕実が提出した甲第２号証、以下「刊行物Ｃ」という）記載事項。
　　　（Ｃ−１）．「第１図は本発明の一実施例のパチンコ機の正面図である。１はパチンコ機の機枠で、その機枠１の前面には、前面枠２が開閉自在に装着されている。」（第２頁左下欄第１７〜１９行）
　　　（Ｃ−２）．「第２図は本発明の一実施例のパチンコ機の裏面図である。前面枠２の裏面には取付枠２２が固着され、該取付枠２２に遊技盤９が着脱自在に装着される。また、取付枠２２の一側上下部に蝶番金具２３、２３が固着され、該蝶番金具２３、２３によって機構板２４が回動自在に装着される。」（第３頁左上欄第１１〜１６行）
　　　（Ｃ−３）．「第３図及び第８図に示すように機構板２４の空間部２４ｂの底部には、入賞球集合カバー２８から落下する入賞球を集合する第１の入賞球集合部３９を形成している。そして、この第１の入賞球集合部３９と並べて機構板２４の裏面に樋部材４０をビスにより固着し、この樋部材４０によって始動入賞口１２、１２に入った入賞球を集合する第２の入賞球集合部４１を形成している。」（第３頁右下欄第８〜１５行）
　　　（Ｃ−４）．「第１０図及び第１２、１３図に示すように前記第１の入賞球集合部３９の出口部には入賞球導出路６４ａが形成されている。また、第２の入賞球集合部４０の出口部には入賞球導出路６４ｂが形成されている。」（第５頁左上欄第４〜８行）
　　　（Ｃ−５）．「７９ａは上端が排出口７３ａに連通する入賞球排出通路、７９ｂは上端が排出口７３ｂに連通する入賞球排出通路である。」（第５頁左下欄第８〜１０行）
　　　（Ｃ−６）．「・・・。尚、上述のように排出阻止装置９４が作動しても、第１、第２の景品球ケース４９，５０の直状球溜り５２ａ〜５２ｃには、検知レバー９４．２の下端から第１、第２の景品球ケース４９、５０の上方弁５３に至るまでの球流路４８ａ〜４８ｃ内に並ぶ球が流入充填されるため、該直状球溜り５２ａ〜５２ｃには常に定量数の球が充填されることになり、これによって排出阻止装置９４の作動が解除された直後であっても確実に定量の景品数が排出されることになる。」（第８頁左下欄第１４行〜同頁右下欄第３行）
　　　（Ｃ−７）．第２図に示された景品球ケース５０の配置と第３図の対応関係から、当該景品球ケースが機構板２４の蝶着側に配設されていることが明らかである。
　　　（Ｃ−８）．してみると、刊行物Ｃには以下の事項が記載されいる。
　　　　すなわち、
　パチンコ機の機枠１に前面枠２が開閉自在に装着され、当該前面枠には、遊技盤９が着脱自在に装着されると共に、前枠と機構板２４が回動自在に装着され、当該機構板２４には、入賞球を集合し、排出するまでの一連の樋部材、及び、本件発明の賞球排出装置に相当する景品球ケースをその蝶着側に具備すること。
　　
　　（Ｄ）実公平２−４１０１９号公報（異議申立人細江裕実が提出した甲第５号証、以下「刊行物Ｄ」という）記載事項
　　　（Ｄ−１）．「パチンコ機１は、第１図に示すように、前後面が開放している機枠２の前開口部に額縁状の前面枠３を一側部の前面枠用ヒンジ４、４によって開閉自在に装着し、該前面枠３の裏側には該前面枠３に開設した窓部５を後方から塞ぐように遊技盤６を有し、該遊技盤６の裏面には機構板７を機構板用ヒンジ８，８によって開閉且つ着脱可能に装着して前面枠３と、遊技盤６と、機構板７とを前後方向に重ね合わせた構造とする。」（第１欄第１２〜２０行）
　　　（Ｄ−２）．「機構板７は、透明プラスチックなどの透明材で形成し、遊技盤６の裏側に対向する前面側には球が流下できる程度の前後幅の周リブにより第１球処理域５９を形成すると共に、背面側には第２球処理域６０を該第１球処理域５９に対して積層状に形成する。そして第１球処理域５９内には、集合ケース６１，傾斜状案内棚６２、入賞球制御器６３等、主に入賞球を処理するための裏機構を設ける。尚集合ケース６１は、第８図で示すように機構板７と分離可能にして遊技盤６の裏側に設けてもよいし、機構板７と一体的に形成してもよい」（第５欄第８〜１９行）
　　　（Ｄ−３）．してみると刊行物Ｄには以下の事項が記載されている。
　すなわち、
　パチンコ機の機枠２に前面枠３がヒンジにて開閉自在に装着され、当該前面枠に遊技盤が具備され、さらに機構板７がヒンジにより開閉可能且つ着脱可能に装着され、当該機構板７が透明プラスチックなどの透明材で形成されていること、及び入賞球集合ケース、傾斜状案内棚６２等の入賞球の流下通路が機構板に設けられていること、及びそれらの配設箇所は、機構板、又は遊技盤の裏側のどちらでも良いこと。
　　　
　　（Ｅ）．特開平１−２３６０７９号公報（異議申立人細江裕実が提出した甲第８号証、以下「刊行物Ｅ」という）記載事項。
　　　（Ｅ−１）．「・・・。入賞球排出通路４２の下端には、入賞球検知スイッチ４３が設けられ、遊技場に設置してある管理コンピュータ（図示しない）に入賞球情報を送るようになっている。」（第４頁左下欄第５〜９行）
　　　（Ｅ−２）．「・・・。しかして、玉切れ検知板５２が景品球の不足により揺動したときには、補給スイッチ５３が作動して管理コンピュータに信号を送り、前記した図示しない補給機構を作動させて景品球タンク５０に相対的に多い景品球を補充するようになっている。」（第４頁右下欄第６〜１１行）
　　　（Ｅ−３）．「機構板３０には、上記した各機構の他に、外部から電力の供給を受ける入出力基板Ａ７０と、前記した金枠防犯ランプ２１及び金枠防犯ランプスイッチ１９を制御するための金枠防犯ランプ基板７１と、前記した各種の電気的機器と入出力基板Ａ７０とを相互に接続する入出力基板Ｂ７２と、前記した触手検知板２４の検出状況を判別するためのタッチスイッチ基板（触手検出回路）７３とが取り付られている。」（第５頁左下欄第８〜１６行）
　　　（Ｅ−４）．「・・・。しかして、入出力基板Ａ７０に設けられるコネクタは以下のように適用される。ＣＯＮａには、交流電源（２４Ｖ）が接続される。ＣＯＮｂには、前記制御基板ボックス２９内に収納される制御基板に電源を供給する接続線が接続される。ＣＯＮｃは、管理コンピュータと接続されて、前記補給スイッチ５３からの補給信号が伝達される。・・・。ＣＯＮｇ及びＣＯＮｈは、入出力基板Ｂ７２に設けられたＣＯＮｉを介して前記入賞球検知スイッチ４３と接続され、その情報を管理コンピュータ等に伝送している。」（第５頁右下欄第１４行〜第６頁左上欄第１０行）
　　　（Ｅ−５）．してみると、刊行物Ｅには以下の事項が記載されている。
　　　　すなわち、
　入出力基板Ａ７０には、入賞球情報、玉切れ情報を管理コンピュータに送信するコネクタ、及び交流電源に接続されるＣＯＮａ、制御基板に電源を供給する接続線が接続されるＣＯＮｂ等のコネクタが具備されており、当該基板Ａ７０は機構板３０に配設されていること。
　　
　　＜３＞．本件発明１と刊行物Ａ記載の発明との対比
　　　（Ａ）対比に先だって、本件発明１に記載されている「遊技情報」の意義を明らかにしておく。
　「遊技情報」に関して段落【００４１】には、ホールコンピュータ等に送出する情報である旨は記載されているが、当該情報を具体的に特定した記載は認められない。
　してみると、当該「遊技情報」とは、大当り、セーフ玉等遊技に関する情報と解することが相当と認められる。　　
　　　（Ｂ）．刊行物Ａに記載された発明と本件発明１の構成部材との対応関係について、
　　　　（ア）．前者における「保持枠」は、遊技盤を保持するものであるから、後者において、遊技盤を保持することとなる「外枠」に相当する。
　　　　（イ）．前者における、遊技動作を制御する「遊技内容（役物）制御装置６００」は、後者において、主に遊技盤１５に配置した電気機器の制御を行う遊技盤制御回路を形成した「遊技盤制御基板」に相当する。
　　　　（ウ）．前者において、賞品球排出装置を制御する「裏メカ制御装置」は、後者において、賞球払出装置を制御する「枠制御基板」に相当する。
　　　　（エ）．前者において、賞球払出装置、入賞球導出路、オーバーフロー検出器を備える「裏機構盤」は、後者において、賞球払出装置、入賞球排出通路、オーバーフロースイッチを具備した点において「機構枠セット部材」相当する。
　　　　（オ）．前者における「中央管理装置」は、パチンコ遊技機外に設置されて球抜き指令信号を発してパチンコ遊技機を制御するものであるから、後者において、枠制御回路に対して同様に、パチンコ遊技機の制御用信号である強制完了（打止め）用信号Ｈ入力を出力する「ホールコンピュータ」（段落【００３９】参照）に相当する。
　（カ）．前者における「遊技盤の裏面側」は、後者においては、遊技盤と前枠が一体化されているから、「前枠の裏面側」に相当する。
　　　　
　　（Ｃ）．本願発明１と刊行物Ａに記載された発明との一致点（ａ）、相違点（ｂ）について、
　　　（ａ）．一致点
　　　　「外枠に遊技盤が保持されたパチンコ機において、
　前記前枠の裏面側には、前記遊技盤に設けられた入賞口への入賞検出に基づいて、枠制御基板に賞球数信号を送信する遊技盤制御基板、及び前記賞球数信号に基づいて賞球払出装置の制御を行う枠制御基板を設け、
　前記前枠の裏面側に、機構枠セット部材を設け、
　前記機構枠セット部材は、少なくとも前記賞球払出装置と、入賞口へ入賞した入賞球を一列に整列させる整流路、該整流路に流下した入賞球を導く入賞球誘導路、該入賞球誘導路の入賞球を排出する入賞球排出通路とからなる入賞球が通る一連の球通路の一部の入賞球通路と、
　下皿が満杯になって溢れた球によって作動するオーバーフロースイッチと、を備えていることを特徴とするパチンコ機。」
　　　（ｂ）．相違点。
　　　　（ｂ−１）．パチンコ構成部材としての「外枠」、「前枠」、「遊技盤」、「機構枠セット部材」に関して、前者は「前枠を外枠に蝶着」し、「前枠に対して遊技盤を分離可能」にし、機構枠セット部材を「前枠に一端を開閉可能に蝶着可能」かつ、「透視可能な合成樹脂から構成」しているのに対し、後者は当該構成部材の相互間の取付け関係、及び機構枠セット部材の材料等に関しては記載されていない点。
　　　　（ｂ−２）．遊技盤制御基板について、前者は、遊技情報をホールコンピュータへ送出するための中継接続端子を備えた「中継端子板」と接続されているのに対し、後者は、遊技盤制御基板に対応する役物制御装置と中継端子板との関係については記載されていない点。
　　　　（ｂ−３）．枠制御盤について、前者は、遊技情報をホールコンピュータへ送信する中継コネクタ端子を備えた「中継端子板」と接続されているのに対し、後者は、枠制御基板に対応する裏メカ制御装置と中継端子板との関係については記載されていない点。
　　　　（ｂ−４）．機構枠セット部材に備えられている部材として、前者は、賞球払出装置が蝶着側に設けられている点、整流路、入賞球誘導路、入賞球排出通路とからなる一連の球通路を備えているのに対し、後者では、賞球払出装置が蝶着側に設けられているとの記載は認められない点、及び、入賞口へ入賞した入賞球が通る一連の球通路を備えているものの、当該球通路全てが、本件発明１の機構枠セット部材に相当する裏機構盤に設けられているわけではない点。
　　
　　（Ｄ）．相違点の検討
　　　相違点（ｂ−１）について、
　　　　パチンコ構造として、外枠、前枠、機構枠セット部材、遊技盤を備え、前枠を外枠に蝶着し、前枠と遊技盤を分離可能とし、機構枠セット部材を開閉可能に蝶着する構造は、刊行物Ｃ，Ｄに示されるように本件発明出願前に既に周知のパチンコ機の構造であり、当該構造を刊行物１の遊技盤、機構枠等の構造として採用することは、当業者が適宜行い得る設計的事項である。
　また、機構枠セット部材の構成材料として、透視可能な合成樹脂とすることは、刊行物Ｄに当該機構枠セット部材に相当する機構板の構成材料として透明プラスチックが記載されているから、当業者が容易に為しえる程度のことである。
　　　相違点（ｂ−２）、（ｂ−３）について、
　　　パチンコ機から遊技情報が遊技場に設置された外部コンピュータに送信されることは、前記刊行物Ｂ、Ｅに示されるように周知の事項であり、しかも、パチンコ機と外部電源、外部コンピュータ等、外部機器との接続に際して、コネクタ端子を備えた基板を介在させることも、前記刊行物Ｅに示されるように周知の接続手段である。
　してみると、遊技情報伝送の為に遊技盤制御基板とホールコンピュータとの接続、及び強制完了（打止め）用信号伝送の為に枠制御基板とホールコンピュータとの接続、さらには各基板と電源との接続等、パチンコ機と周知の外部機器等の接続に際して、コネクタ端子を備えた基板を介在させる前記周知の接続手段を用いることは当業者が容易に為し得る事項である。
　相違点（ｂ−４）について、
　　　刊行物Ｄに、入賞球の通路を遊技盤の裏に設けるか、機構枠セット部材に相当する機構板に設けるかは設計的事項である旨の記載が認められるから、刊行物Ａに示された、入賞球が通る一連の球通路全てを機構枠セット部材に相当する裏機構盤に設けることは当業者が適宜為しえる程度の事項である。
　　
　　
［４］むすび
　以上のとおり、本件発明１は、前記刊行物に記載された発明に基づいて当業者が容易に発明をすることができたものであるから、特許法第２９条第２項の規定に違反して特許されたものである。
　したがって、本件発明１についての特許は、拒絶の査定をしなければならない特許出願にに対してされたものであるから、特許法の一部を改正する法律（平成６年法律第１１６号）付則第１４条の規定に基づく、特許法の一部を改正する法律の施行に伴う経過措置を定める政令（平成７年政令第２０５号）第４条第２項の規定により、結論のとおり決定する。
【異議決定日】
平成１５年７月２８日（２００３．７．２８）
【訂正の要旨】
審決（決定）の【理由】欄参照。
（５４）【発明の名称】
パチンコ機
（５７）【特許請求の範囲】
　【請求項１】　外枠に前枠を蝶着し、該前枠に対して遊技盤を分離可能にするパチンコ機において、
　前記前枠の裏面側には、前記遊技盤に設けられた入賞口への入賞検出に基づいて、枠制御基板に
賞球数
と共に、遊技情報をホールコンピュータへ送出するための中継接続端子を備えた中継端子板と接続される
賞球数
と共に、遊技情報をホールコンピュータへ送信する中継コネクタ端子を備えた中継端子板に接続される
　前記前枠の裏面側に、当該前枠に対し一端部を開閉可能に蝶着する透視可能な合成樹脂からなる機構枠セット部材を設け、
　前記機構枠セット部材は、少なくとも前記蝶着側に設けられた前記賞球払出装置
と
とからなる入賞球が通る一連の球通路と
と、
【発明の詳細な説明】
　【０００１】
　【発明の属する技術分野】
　この発明は、パチンコ機に関し、特に入賞球の処理関係の改良に関するものである。
　【０００２】
　【従来の技術】
　周知のように、近年のパチンコ機は電子化が進み、役物の制御を始め、打球の発射や賞球の排出及び補給、各種情報の表示や効果音の発声、或は打ち込み球数や払い出し球数等の各種データの収集を、マイクロプロセッサーを中心とする制御手段により行っている。この制御手段は、通常、遊技盤の裏面側に止着した回路ボックスに収められて制御装置を構成している。
　【０００３】
　そして、上記のような制御装置は種々開発されており、例えば実開昭６２−６４５７９号公報や実開昭６２−１２２６８１号公報等では、制御基板を収設した回路ボックスの遊技盤に対する取付作業やボックス内部の制御基板とボックス外部の電気機器との接続作業を容易にするために、コネクタ手段を有する取付部材を遊技盤に固定すると共に回路ボックス側にも対応するコネクタ手段を設け、回路ボックスを取付部材に取り付けた際に両コネクタ手段が電気的に結合するようにしてある。
　【０００４】
　【発明が解決しようとする課題】
　しかしながら、従来のパチンコ機における制御装置は、遊技盤に対応して個別に構成しているので、遊技盤を交換する際に本来変更する必要のない打球発射装置や賞球払出装置等に関する制御部分までも交換しなければならず、不経済となっていた。しかも、従来の制御装置は、遊技盤の裏面側に空所を探し、そこに取り付けるようになっているので、大きさや配線等の仕様が遊技盤毎に異なり、設計、変更、交換等の作業が煩雑であった。
　一方、入賞球の処理に関しても、電気的に行うようになっている。このため、遊技者と遊技店との間でトラブルが発生したときには、カバー等を開放して検出時点の様子を確認しなければならない。
　【０００５】
　【課題を解決するための手段】
　本発明は上記に鑑み提案されたもので、請求項１に記載した発明は、外枠に前枠を蝶着し、該前枠に対して遊技盤を分離可能にするパチンコ機において、
　前記前枠の裏面側には、前記遊技盤に設けられた入賞口への入賞検出に基づいて、枠制御基板に
賞球数
と共に、遊技情報をホールコンピュータへ送出するための中継接続端子を備えた中継端子板と接続される
賞球数
と共に、遊技情報をホールコンピュータへ送信する中継コネクタ端子を備えた中継端子板に接続される
と
とからなる入賞球が通る一連の球通路と
と、
　【０００６】
　【発明の実施の形態】
　以下、本発明を図面の実施形態について説明すると、図１はパチンコ機１の一部を欠截した正面図であって、窓部を有して額縁状の前枠２の一側を外枠３に開閉可能に蝶着し、上記窓部には金枠４を設け、該金枠４の上方部分にはガラスを装着したガラス枠５を開閉可能に軸着し、上記外枠３及びガラス枠５を施錠装置６で施錠する。また、ガラス枠５の下方部分には上皿７を設けたフロントプレート８等からなる上受皿セット９を設け、前枠２の下方部分には下皿１０を設けた下受皿セット１１を設ける。尚、上記上受皿セット９の裏面側の遊技盤載置台１４には上皿７から後述する打球発射装置１２へ球を一個宛に供給する球送り装置１３やスピーカＳＰが位置する。スピーカ音は上皿７のスリット７′を通して放声する。
　【０００７】
　そして、上記前枠２の窓部には、この窓部を塞ぐように遊技盤載置台１４に載せて交換可能とした遊技盤１５を臨ませる。遊技盤１５の表面側にはガイドレール１６で囲まれる遊技部１７を形成すると共に、当該遊技部１７内に可変表示装置１８や変動入賞装置１９等の各種役物、始動口２０や各種入賞具２１ａ，２１ｂ、風車２２ａ，２２ｂ、或は各種表示灯２３等を配設し、最下位置にアウト口２４を配設する。また、ガイドレール１６の外側で右側の上方部分には完了表示灯（Ｌ２）を、左側の上方部分には賞球表示灯（Ｌ１）を設ける。更に、前枠２の上縁には外部表示灯２５を設ける。
　【０００８】
　上記下受皿セット１１の前面側には後述する打球発射装置１２により遊技部１７に打ち込む打球の飛距離を調整するための操作グリップ２６を設ける。
　【０００９】
　打球発射装置１２は、例えば発射ソレノイド２７を駆動源とし、所定の周期、例えば１分間に９９回供給される駆動パルスにより、発射位置にある球を発射レール２８に沿って遊技部１７内に発射する。打球の飛距離調整は、グリップ２６に内蔵した可変抵抗器の抵抗値を遊技者が操作レバー２６′を操作することにより、発射ソレノイド２７に供給する電圧を調整して行う。尚、グリップ２６にはタッチセンサが設けてあり、このタッチセンサに遊技者が触れていない状態では上記駆動パルスが送出されないようになっている。
　【００１０】
　また、上記発射ソレノイド２７のプランジャの摺動に連動して球送り装置１３が作動し、上皿７に連通する球送り通路を通して発射位置に１個宛に供給する。球送り通路の球入口２９には上皿シャッタ３０を設け、この上皿シャッタ３０を上皿ソレノイド（ＳＯＬ３）により制御する。この上皿ソレノイド（ＳＯＬ３）は、ラッチングソレノイドからなり、当該ソレノイドのプランジャに、リンク機構を介して上皿シャッタ３０を連絡する。リンク機構の各リンク片は適宜フロントプレート８及び遊技盤載置台１４に軸着されている。
　【００１１】
　そして、例えば、後述する上タンク３１が空になって完了基板ユニット３２の完了スイッチ（ＳＷ０）がオフ（”Ｌ”レベル）になると、完了基板３３に設けた完了表示灯（Ｌ２）が点灯し、”Ｌ”レベルが所定時間（例えば４秒）継続すると、プランジャが突出する方向に上皿ソレノイド（ＳＯＬ３）を駆動し、上皿シャッタ３０を閉じる。球の補給が完了して完了スイッチ（ＳＷ０）がオン（”Ｈ”レベル）すると、上皿ソレノイド（ＳＯＬ３）を吸引する方向に駆動して上皿シャッタ３０を開放して、打球発射を可能にする。
　【００１２】
　一方、図２はパチンコ機１の背面図であって、上記前枠２の背面側には、遊技盤１５を着脱自在に収納する皿枠状の金属板からなるリヤプレート（機構板）３４を添設し、このリヤプレート３４の背面側にはベース本体３５等の機構枠体を設ける。尚、この機構枠体はパチンコ機１の背面側における主要部材を前枠２の裏面側に取り付けるための部材の総称である。そして、上記ベース本体３５に向かって左側の上方部分には、賞球を貯留しておく上タンク３１を着脱自在に設けると共に、この上タンク３１に連通して後述する賞球払出装置３６に球を誘導する下タンク３７を設ける。また、上タンク３１の右側位置には、後述する枠制御回路（基板）とホールコンピュータ等の外部とを電気的に接続する本体端子板３８を配置すると共に、遊技盤１５の裏面側に止着した後述する遊技盤制御回路と外部及び上記本体端子板３８とを電気的に接続する中継端子板３９が臨む配線通過口４０を開設する。
　【００１３】
　上記リヤプレート３４には蝶番４１を介して機構枠体の一種である機構枠セット部材４２を開閉可能に蝶着する。この機構枠セット部材４２は閉止時にリヤプレート３４の所定部分を覆う部材であって、上記下タンク３７に連通する賞球樋４３や賞球払出装置３６を形成すると共に、当該賞球払出装置３６が払い出す賞球を賞球出口４４（リヤプレート３４の上皿入口４５）を通して上皿７に導く賞球放出路４６等を形成する。また、上記機構枠セット部材４２には遊技盤１５の後方ほゞ中央部分を覆うリヤカバー４７を形成し、当該リヤカバー４７の下縁部分には入賞球の誘導路４８や入賞球を入賞球処理装置４９に導く整流樋ユニット５０を設ける。更に、上記リヤカバー４７の側方部分には後述する遊技盤制御回路を収設した遊技盤制御ボックス５１に対応する開口窓５２を開設し、該開口窓５２の側縁に沿って配線押え部５３を形成する。
　【００１４】
　上記整流樋ユニット５０は、図７に示す固定側部材５０ａと図８に示す可動側部材５０ｂを蝶着手段５０ｃにより回動可能に組み立てたもので、組立状態においてほゞ横Ｕ字状に曲折する整流路５０′を形成している。
　【００１５】
　固定側部材５０ａは、機構枠セット部材４２に後述するベース板５４と共に固定される部材であって、整流路５０′の下半部分５０′ａを形成する。この固定側部材５０ａは、下面が開放する箱枠状の基部５０ａ１と、図７において基部５０ａ１の右方に延在する取付部５０ａ２と、上記基部５０ａ１の左方に延在すると共に適度な傾斜を有し、上面が開口する樋状部５０ａ３とを有する。樋状部５０ａ３は各断面図に示すように、上流側において開口縁が拡幅すると共に隔壁部５０ａ４の高さが高く、下流端において入賞球処理装置４９の入賞球誘導路５５に連通する。尚、整流路５０′は流下端付近において屈曲し、取付ボス５０ａ５の逃げを設けてある。
　【００１６】
　上記基部５０ａ１の下面側には蝶着手段５０ｃを構成する支軸部材５０ｃ１を止着するための支柱５０ａ６を設けると共に、支軸部材５０ｃ１の軸ピン５０ｃ２の先端部を受け止める受筒部５０ａ７を設ける。また、基部５０ａ１の右方に延設した取付部５０ａ２には適宜リブ５０ａ８を設けてネジを通す通孔５０ａ９を設ける。
　【００１７】
　一方、可動側部材５０ｂは、整流路５０′の上半部分５０′ｂを形成し、上記蝶着手段５０ｃにより固定側部材５０ａに回動自在に軸着される。この可動側部材５０ｂは閉止状態において上記固定側部材５０ａの整流路５０′の下半部分５０′ａの上部を覆う閉止リブ５０ｂ１及び遊技盤１５から流下してくる入賞球を整流路５０′に誘導可能な緩い傾斜を設けた誘導板部５０ｂ２を有している。この可動側部材５０ｂにおける整流路５０′ｂは、ベース板５４側の端部では開口幅は広いが深さは浅く、固定側部材５０ａとの連通部に向かうに従って幅が狭められて一列に整列される。尚、整流路５０′ｂの途中に傾斜が変わる傾斜段部５０ｂ３が設けてある。また、整流路５０′ｂの一方（外側）の立壁部５０ｂ４の上縁にはテーパー部５０ｂ５が設けてあり、入賞球がスムーズに整流路５０′ｂに落下するようになっている。
　【００１８】
　可動側部材５０ｂの基端側には蝶着手段５０ｃの軸ピン５０ｃ２を挿通可能な軸孔５０ｂ６を有する軸受部５０ｂ７を延設する。また、可動側部材５０ｂと固定側部材５０ａとの閉止状態を保持するために、例えば、可動側部材５０ｂの誘導板部５０ｂ２の隅部に透孔５０ｂ８を設けると共に、固定側部材５０ａの対応する位置に突起５０ａ１０を設け、上記透孔５０ｂ８と突起５０ａ１０とを嵌合可能とする。
　【００１９】
　上記のような可動側部材５０ｂと固定側部材５０ａとを回動自在に組み付けるには、支軸部材５０ｃ１の軸ピン５０ｃ２を可動側部材５０ｂの軸孔５０ｂ６から固定側部材５０ａの受筒部５０ａ７に一連に通すと共に、支軸部材５０ｃ１をビスにより支柱５０ａ６に止着すればよい。尚、固定側部材５０ａと可動側部材５０ｂには適宜位置に補強用のリブが設けてある。
　【００２０】
　上記のようにして構成した整流樋ユニット５０は、整流路５０′の幅や深さ及び閉止リブ５０ｂ１の形状を、入賞球が大量に発生した場合であっても球詰まりを起こすことなく、一列且つ一段に整列させて入賞球処理装置４９へ導くように形成してあるが、万一、球詰まりが発生した場合には可動側部材５０ｂを開放して対処することができる。
　【００２１】
　また、上記機構枠セット部材４２には後述する入賞球処理装置４９を形成したベース板５４を設け、入賞球を導く入賞球誘導通路５５や入賞球処理装置４９に作用した入賞球を排出する入賞球排出通路５６を形成する。更に、遊技盤１５に開設したアウト口２４に連通してアウト球を排出するアウト球通路５７を形成し、該アウト球通路５７にはアウト球検出スイッチ５８を臨ませる。尚、上記機構枠セット部材４２を導電性部材で形成し、上記蝶番を介して球に帯電する静電気をリヤプレート３４に逃すようにするとよい。尚、前記導電性部材は機構枠セット部材４２の機枠部４２′のみに形成してもよい。
　【００２２】
　そして、上記ベース板５４には、後述する枠制御回路と賞球払出装置３６とを電気的に接続するコネクタ５９ａを設け、このコネクタ５９ａは当該機構枠セット部材４２を閉止した場合に枠制御ボックス６０に設けたコネクタ５９ｂと互いに嵌合して接続されるように構成する。尚、このコネクタ５９ａにはレバー機構を設けて、このレバー機構によりコネクタ５９ａ，５９ｂ同士の係脱を容易にするとよい。
　【００２３】
　また、ベース板５４には、下皿１０が満杯になって溢れた球によって作動するオーバーフロースイッチ（ＳＷ５）を設ける。このオーバーフロースイッチ（ＳＷ５）は例えば球圧により回動する受圧レバーでフォトセンサーを作動させるものでもよいし、マイクロスイッチによるものでもよい。尚、このベース板５４には後述する賞球払出装置３６に設けた球抜き機構６１を作動させた際に上タンク３１の球をパチンコ機１の外部に排出する球抜き樋６２を形成してある。
　【００２４】
　そして、パチンコ機１の背面図においては、遊技盤１５の裏面側の所定位置、例えば遊技盤１５の裏面に向かって左側部分には、遊技盤１５の前面側に配置する可変表示装置１８や変動入賞装置１９等、主に遊技盤１５に配置した電気機器の制御を行う遊技盤制御回路を形成した遊技盤制御基板を収設する遊技盤制御ボックス５１が現れ、また、上記機構枠セット部材４２から外れた下方位置のリヤプレート３４には、打球発射装置１２、入賞球処理装置４９、賞球払出装置３６等、主にパチンコ機本体側の制御処理を行う枠制御回路を形成した枠制御基板を収設する枠制御ボックス６０が現れている。
　【００２５】
　上記枠制御ボックス６０の前方位置には打球発射装置１２の駆動部や上皿７から球を１個宛に供給する球送り装置１３等を配設する。そして、上記機構枠セット部材４２の下方位置には上皿７から溢れた球を下皿１０へ誘導する流下樋６３を設ける。尚、この流下樋６３は導電性部材で形成し、ビスにてリヤプレート３４に止着することにより球に帯電する静電気をリヤプレート３４に逃すようにするとよい。
　【００２６】
　上タンク３１はベース本体３５に着脱可能に取り付けられており、この上タンク３１には球の残存を検出する検出手段を備える完了基板ユニット３２を着脱自在に設ける。この完了基板ユニット３２は、枠ケース３２′内に検出スイッチと発光ダイオード等を配設した完了基板３３を収設してなる。
　【００２７】
　上記上タンク３１は、上面及び背面側が開口すると共に球落下口６４を有する箱枠状のタンク本体６５をベース本体３５に組み付けてなり、ベース本体３５に設けた止着溝６６にタンク本体６５の縁部６５ａを嵌め付け、ベース本体３５の透孔に通したビスで固定する。尚、組立に際しては、後述する検出部材６７を支軸６８に揺動自在に挿着すると共に導電性のアース板６９を挟着し、ビス７０をリヤプレート３４に螺着して球に帯電する静電気をリヤプレート３４に逃す。また、タンク本体６５の一隅部には図１１に示すように球が滞留しないように誘導リブ７１を設ける。また、アース板６９を挟着する代わりに上タンク３１を導電性部材で形成してもよい。
　【００２８】
　上記検出部材６７は、図１５に示すように配置した完了基板３３に設けた検出スイッチ７２に対して作用し、例えば図１１或は図１４に示すように、扇型のウエイト部６７ａを有し、該ウエイト部６７ａから受圧片６７ｂが下方へ延在すると共に、上方へは検出スイッチ７２のアクチュエータ７２′に当接可能な作動片６７ｃが延在する。そして、この検出部材６７は、上タンク３１内に所定量の球が残存する場合に球圧により起立状態にあり、作動片６７ｃがアクチュエータ７２′に作用している。一方、上タンク３１の球が所定量以下に減少して球圧がなくなると、検出部材６７が検出スイッチ７２の有している復帰バネ（図示せず）の作用でアクチュエータ７２′を回動して検出スイッチ７２のアクチュエータ７２′に対する作動片６７ｃの押圧を解除し、検出スイッチ７２が作動する。尚、検出スイッチ７２はソケット７３を介して２個並設してあり、一方の検出スイッチ７２は球の補給（玉切れ）に関連し、他方の検出スイッチ７２は完了（打止め）に関連する完了スイッチ（ＳＷ０）となる。
　【００２９】
　上記完了基板３３の下縁には、ベース本体３５に設けたコネクタ７４ａに対応するコネクタ７４ｂを設け、完了基板ユニット３２を着脱する際に完了基板３３を電気的に継断可能とする。尚、上記コネクタ７４ｂと検出スイッチ７２或は発光ダイオード７５等とは図１６の配線図のようにプリント配線してある。
　【００３０】
　上記発光ダイオード７５は、完了表示灯（Ｌ２）を構成するもので、当該発光ダイオード７５の発光状態を遊技者が視認可能なように、完了基板３３の遊技盤１５側に配置してある。また、遊技盤１５には表示窓７６を開設すると共に、当該表示窓７６の前面側には着色やダイヤカットを施した完了ケース７７を設ける。尚、この実施形態においては発光ダイオード７５を３個直列に接続してある。
　【００３１】
　上記のような完了基板３３を収設した枠ケース３２′には、弾性変形可能な操作片３２ａを設け、当該操作片３２ａを湾曲させることによりベース本体３５の係止部３５ａに係合する係合片３２ｂを外して、完了基板ユニット３２を着脱可能とする。従って、上記完了基板ユニット３２を交換することで、完了表示灯（Ｌ２）や完了スイッチ（ＳＷ０）の交換を極めて容易に行うことができる。
　【００３２】
　上記上タンク３１の下側に位置して上タンク３１の球落下口６４に連通する下タンク３７は、支軸部３７ａによりベース本体３５に対して手前側に回動可能に止着してあり、この下タンク３７の下流側には賞球払出装置３６が位置する。この下タンク３７は、上タンク３１から不規則に重なり合った状態で流下する球を、一列に整列させると共に、適宜な速度で賞球払出装置３６に球を供給する。尚、この下タンク３７は、通常はロック機構７８ａにより機構枠体に止着されて、球出口３７ｂが機構枠セット部材４２に設けた賞球樋４３の球入口に連通しているが、球詰まり等が発生した場合には、ロック機構７８ａを解除して下タンク３７を支軸部３７ａを支点に開放可能である。また、機構枠セット部材４２は、通常ロック機構７８ｂにより機構枠体に止着されているが、ロック機構７８ｂを解除して機構枠セット部材４２を開放した際には、図示していないスプリングによりストッパ機構３９が作動して、球出口３７ｂを閉止するようになっている。
　【００３３】
　上タンク３１の右方のベース本体３５には本体端子板３８を設ける。この本体端子板３８は外部からの電源を中継したり、ホールコンピュータと各パチンコ機１との間で信号やデータの中継を行う。例えば図１９に示すように、基板の上には、外部電源に接続する電源端子ＣＮ６、ホールコンピュータと各パチンコ機１との間に介在させるリレー基板へ接続するリレー基板中継コネクタ端子ＣＮ５、枠制御基板へ電源を供給する枠制御基板分電端子ＣＮ４、枠制御基板へ接続する枠制御基板中継コネクタ端子ＣＮ１、パチンコ機１の前枠２の上縁に設けた外部表示灯２５へ接続するトップランプ端子ＣＮ１０、効果音等を発声するスピーカＳＰ等へ接続するスピーカ端子ＣＮ９、遊技盤制御基板へ接続する遊技盤制御基板中継コネクタ端子ＣＮ２、遊技盤制御基板へ電源を供給する分電端子ＣＮ３等を配設すると共に、パワースイッチＰＳＷ及びリレーＲＥＬ、該リレーＲＥＬを制御するハイブリッドＩＣ、電源回路中に挿入させたヒューズＦ１，Ｆ２及びヒューズ切れ表示灯ＦＣＬ１，ＦＣＬ２としての発光ダイオードＬＥＤ１，ＬＥＤ２、或は電圧異常状態を表示する電圧異常表示灯ＥＬとしての発光ダイオードＬＥＤ３、ノイズ防止のサージアブソーバ等を配設し、図２０のように適宜プリント配線する。尚、この本体端子板３８には、不正遊技を防止するため、磁気検出スイッチやガラス枠開放スイッチ等を接続する不正検出スイッチ端子を配設してもよい。また、本実施形態のように可変表示装置１８の図柄を停止するストップボタンＳＴＢを本体端子板３８を利用して接続するようにしてもよいし、遊技盤制御基板に直接接続するようにしてもよい。
　【００３４】
　上記のような構成の本体端子板３８は、機構枠体（ベース本体３５）に設けた係止爪３５ｂにより着脱自在に取り付けてあり、後述するカバー８０を被着する。尚、上記係止爪３５ｂは機構枠体と合成樹脂で一体に成型してもよいし、別個に成型して端子板取付部を形成するようにしてもよい。そして、上記本体端子板３８の一隅にプリント配線部を露出させたアース部８１を設けると共に、このアース部８１に通孔８１ａを開設し、該通孔８１ａに通した取付ビスをリヤプレート３４に螺着して本体端子板３８を接地する。また、機構枠体の上タンク３１の側方には、遊技盤制御基板に接続した配線コード等、機構枠体と遊技盤１５との間に通した配線コードを引き出す配線通過口４０が開設してある。
　【００３５】
　本体端子板３８に被着するカバーは、図１８に示すように、半透明樹脂からなるほゞ箱枠状であって、係止爪８０ａ，８０ｂや係止リブ８０ｃにより機構枠体のベース本体３５に着脱自在に構成してあり、表面には主要な部材の説明書きを印刷したプレート８０′が添設してある。尚、このプレート８０′はアルミニウム板からなっており、内部が透視できないようになっているが、前記したヒューズ切れ表示灯ＦＣＬ１，ＦＣＬ２及び電圧異常表示灯ＥＬを形成する発光ダイオードＬＥＤ…に対応する位置には表示口８０ｄ，８０ｅ，８０ｆを開設して当該発光ダイオードＬＥＤ…の発光状態を確認できるようになっている。また、このカバー８０からはパワースイッチＰＳＷの操作レバーが通孔８０ｇを通して外部操作が可能なよう臨んでいる。
　【００３６】
　一方、上記本体端子板３８の遊技盤１５側には、賞球表示灯（Ｌ１）を構成する発光ダイオード８２を設け、この発光ダイオード８２の発光状態を遊技盤１５に開設した表示窓８３から遊技者に可視表示可能とする。また、遊技盤１５の表示窓８３には着色やダイヤカットを施した飾りケース８４を取り付けてある。尚、この実施形態では発光ダイオード８３を３個直列に接続して賞球表示灯（Ｌ１）として充分な光量を得ている。
　【００３７】
　更に、この実施形態では、上記飾りケース８４及び完了ケース７７から遊技盤１５にかけて不正遊技防止のため、ピアノ線等の挿入を阻止する不正防止壁８５を設けてある（図１０参照）。
　【００３８】
　リヤプレート３４の下方部分に設ける枠制御ボックス６０内に収設する枠制御回路は、例えば図２１のブロック図に示すように４ビットＣＰＵを中心として構成すると共に、図２２に示すように各部材が配置してある。即ち、発射ソレノイド２７を停止するグリップ２６に設けたストップボタンＳＴＡに接続するストップボタン接続端子ＣＮ１、ハンドルセットに接続するハンドル接続端子ＣＮ２、電源（この実施形態では本体端子板３８に設けた分電端子）に接続する電源接続端子ＣＮ３、発射ソレノイド２７に接続する発射ソレノイド接続端子ＣＮ４、本体端子板３８に接続する基板接続端子ＣＮ５、完了基板３３に接続する完了基板接続端子ＣＮ６、上皿ソレノイド（ＳＯＬ３）に接続する上皿ソレノイド接続端子ＣＮ７、賞球払出装置３６に接続する賞球払出装置接続端子ＣＮ８が各々配設してある。また、この枠制御基板には、整流回路や検出回路を構成する各種デバイスを適宜配設すると共に、後述する動作状態をコード化して可視表示する２桁の７セグメント発光ダイオードからなるＬＥＤ表示部９０を設けてある。更に、このＬＥＤ表示部９０に隣接して、枠制御回路をリセットするリセットスイッチ（Ｓ１）、ＬＥＤ表示部９０の表示内容を切り換える表示切換スイッチ（Ｓ２）、パチンコ機１内に残存する球を排出する排出スイッチ（Ｓ３）を設ける。
　【００３９】
　上記のような枠制御回路（基板）において、遊技盤制御回路及びホールコンピュータと信号のやり取りを行う部分には、フォトカプラを用いたフォトアイソレーション部を形成して、ノイズに対する保護、信号の電圧レベル差等を考慮してある。即ち、枠制御回路に対して、ホールコンピュータから入力されて強制完了（打止め）用の入力信号であるＨ入力、遊技盤制御回路から供給されてフォトカプラ駆動用電源である＋１２ＶＩＮ入力、遊技盤制御回路に対して出力される賞球問合せ信号であるＩＮＱ出力、遊技盤制御回路から入力される賞球個数信号であるＳＰＵＬＳＥ入力、遊技盤制御回路から入力されて上記ＳＰＵＬＳＥ入力の読み取りを指示するＲＥＡＤＹ入力は、夫々フォトカプラを介して入出力されている（図２１参照）。
　【００４０】
　また、上記のような機構枠体であるベース本体３５″に設けた枠制御回路（基板）と上記本体端子板３８との間の配線コード９１を適宜チューブ９２に挿通し、このチューブ９２をリヤプレート３４に設けた機構枠体であるベース本体３５′に設けたチューブ把持爪９３により止着すると共に、下タンク３７と機構枠体との間を通して止着バンド９４等により配線処理する。
　【００４１】
　遊技盤１５には、前記したように表面側に可変表示装置１８や変動入賞装置１９を配置すると共に、各種の入賞装置や多数の障害釘を配置した遊技部１７を形成するが、裏面側には、前枠２のベース本体３５に設けた本体端子板３８と遊技盤制御回路（基板）とを中継すると共に遊技情報をホールコンピュータ等の外部に中継する中継端子板３９を設ける。この中継端子板３９はベース本体３５に開設した配線通過口４０に対応する位置に設けてあり、中継端子板３９はセット板１４５にビス３９ａにより止着すると共に、中継端子板３９の裏面に設けた位置決め凸部３９ｂを遊技盤１５の背面に設けた凹部に位置決めした後に、取付孔３９ｃにネジ止めされている。尚、３９ｄは配線押えである。前記中継端子板３９には本体端子板３８に接続する雌型の中継接続端子ＣＮ１と、本体端子板３８の分電端子から遊技盤制御回路へ供給する電源を中継する雌型の電源中継接続端子ＣＮ２と、ホールコンピュータ等に送出する遊技情報を中継する雌型の遊技情報中継接続端子ＣＮ３とを有している。そして、上記中継接続端子ＣＮ１には後述する役物中継基板１４２へ結合する配線コード１５８（電源コードを含む）が接続してあり、この中継接続端子ＣＮ１と本体端子板３８の遊技盤制御基板中継コネクタ端子ＣＮ２とを中継コードにより接続する共に、電源中継接続端子ＣＮ２と本体端子板３８の分電端子ＣＮ３とを中継コードにより接続する。このように遊技情報中継接続端子ＣＮ３を遊技盤側に設け、パチンコ機１とホールコンピュータとを接続するリレー基板中継コネクタ端子ＣＮ５を前述した本体端子板３８に、夫々設けることにより、配線の作業性を向上すると共に、配線の状態が外部から容易に識別できるので、不正改造の防止にもなる。
　【００４２】
　賞球払出装置３６は機構枠セット部材４２の上半部分に形成した蛇行状の賞球樋４３に沿って構成される。この賞球樋４３の上流部分には球切れ検出手段１０１を設ける。この球切れ検出手段１０１は、例えば、賞球樋４３の近傍に回動自在に軸着されて一部が賞球樋４３内に嵌入可能な検出レバー１０２と、この検出レバーの回動状態を検出する賞球検出スイッチ（ＳＷ１）とからなり、賞球樋４３内に球が存在する場合には、球圧により上記検出レバーが賞球樋４３外に押し出された状態となるので、この状態を賞球検出スイッチ（ＳＷ１）である光センサ１０３により検出する。そして、該光センサ１０３が送出するパルスを球切れ信号として後述する制御に利用する。尚、賞球が賞球樋４３を連続して流れているときは、球切れ信号が出ないように賞球検出スイッチ（ＳＷ１）と検出レバー１０２とを設定して取り付けてある。これは賞球払出が途切れて賞球払出に時間が掛かることのないようにして、賞球払出のスピード化を図るための配慮である。
　【００４３】
　一方、賞球樋４３の下流部分には払出計数手段１０４を設ける。この払出計数手段１０４は、例えば、球の外径に対応して球を１個宛に受止め可能な凹部１０５を周縁に複数個形成したスプロケット１０６と、このスプロケット１０６に同軸上に位置するラチェット１０７と、同じく同軸上の回転板１０８とを一体に形成し、上記凹部１０５に対応して設けた検出孔１０９及び該検出孔１０９検出する光センサ１１０による賞球計数検出スイッチ（ＳＷ２）とからなり、上記スプロケット１０６の一部を賞球樋４３内に臨ませて当該賞球樋４３内を流下する球をスプロケット１０６の凹部１０５で受け止めた際にスプロケット１０６が回転するようになし、スプロケット１０６の検出孔１０９を上記光センサ１１０（ＳＷ２）によりカウントして賞球樋４３を流下する球、即ち払い出す球を計数する。
　【００４４】
　そして、上記払い出した球が所定数に達した場合に、上記スプロケット１０６の回転を阻止して球の払出しを停止する払出停止機構１１１を形成する。この払出停止機構１１１は、上記ラチェット１０７に係止可能な係止爪１１２と、この係止爪１１２を揺動させる揺動レバー１１３と、この揺動レバー１１３を駆動制御する賞球払出ソレノイド１１４（ＳＯＬ１）とからなる。上記係止爪１１２は揺動レバー１１３と共に支軸に軸着してあり、両者の間にはコイルスプリングを介在させて、通常は当接部同士が当接して一体的に揺動するが、一方に負荷が加わった場合には単独でも揺動可能なように構成してある。
　【００４５】
　上記揺動レバー１１３の中程には賞球払出ソレノイド１１４（ＳＯＬ１）のプランジャを連絡杆１１５を介して連絡する。この賞球払出ソレノイド１１４（ＳＯＬ１）はプランジャの位置を自己保持可能なラッチングソレノイドからなる。上記ラッチングソレノイドはソレノイド取付板１１６を介して賞球ケース枠１１７に止着してあり、ソレノイド取付板１１６にはストッパ１１６ａを屈曲形成し、このストッパ１１６ａにプランジャと連絡杆１１５とを接続する接続リング１１８を係止可能としてプランジャの摺動範囲を規制する。
　【００４６】
　上記のような構成において、賞球払出ソレノイド１１４（ＳＯＬ１）のプランジャが吸引されて揺動レバー１１３が図２５において反時計方向に回動し、係止爪１１２がラチェット１０７に係止した状態では、スプロケット１０６の回転が阻止されているので賞球の払出は行われない。この状態から賞球払出ソレノイド１１４（ＳＯＬ１）を励磁してプランジャを突出させると、傾動レバーが図２４において時計方向に回動して係止爪１１２がラチェット１０７から外れ、スプロケット１０６は自由に回転可能となる。従って、係止爪１１２が外れている間は賞球の払出が可能であり、スプロケット１０６の回転を検出することにより払出数を計数し、払出数に基づいて上記賞球払出ソレノイド１１４（ＳＯＬ１）を制御すれば、即ちプランジャを吸引すれば、傾動レバー１１３が反時計方向に回動して係止爪１１２がラチェット１０７に係止し、スプロケット１０６の回転が停止して賞球の払出を停止する。上記のような構成によれば賞球払出装置３６としての初期の目的を達成することができる。
　【００４７】
　しかし、上記のような構成では、賞球払出ソレノイド１１４（ＳＯＬ１）のプランジャが吸引された位置に復帰しない場合に、大量の賞球払出が行われてしまう虞れがあるので、この実施形態においては、賞球払出制限機構１１９が設けてある。この賞球払出制限機構１１９は、上記したスプロケット１０６とほゞ同様な構成のセフティスプロケット１２０と、このセフティスプロケット１２０の回転に連動する連動車１２１と、この連動車１２１と同軸上に回転自在に軸支した係止車１２２とを有し、上記セフティスプロケット１２０は賞球樋４３の上流部に臨み、当該賞球樋４３を流下する球により回転する。そして、このセフティスプロケット１２０の回転は、当該セフティスプロケット１２０の中央部に設けた小歯車部１２０ａと噛合する連動車１２１の外周部に設けた大歯車部１２１ａにより連動車１２１に伝達され、連動車１２１は適宜減速されて回転する（図２４において矢印のように反時計方向）。
　【００４８】
　上記係止車１２２は、筒状の軸受部１２２ａと、該軸受部１２２ａから放射方向へ板状に延出する第１係止部１２２ｂと、該第１係止部１２２ｂから軸方向に延出する第２係止部１２２ｃとからなる。この係止車１２２は上記軸受部１２２ａにより支軸１２３に遊嵌されており、常態では第１係止部１２２ｂ及び第２係止部１２２ｃの自重により両係止部１２２ａ，１２２ｂを鉛直方向に向けて停止している。
　【００４９】
　一方、上記した連動車１２１の裏面側には係止板部１２１ａが突設してあり、この係止板部１２１ａに上記した係止車１２２の第２係止部１２２ｃが係止可能であり、連動車１２１の矢印方向の回転に伴って、係止板部１２１ａに後方から押されるような形で係止車１２２が同じく矢印方向に回転可能である。
　【００５０】
　更に、上記係止車１２２には回転停止アーム１２４の一端を臨ませる。この回転停止アーム１２４はほゞ「く」字状の部材であって、中央部を揺動自在に軸支すると共に、一端を係止車１２２の第１係止部１２２ｂに臨ませる、他端にリンク機構１２５の連係杆１２６を枢着する。リンク機構１２５は上記連係杆１２６の他に連係アーム１２７を有し、この連係アーム１２７は自由端側を上記連係杆１２６の下端に枢着すると共に、基端は賞球ケース枠１１７の支軸１２７ａに回動自在に軸着してある。そして、連係アーム１２７の自由端の下方には前記した傾動レバー１１３に形成したカム部１１３ａが臨む。尚、上記回転停止アーム１２４と賞球ケース枠１１７との間にはスプリング１２８を張設して回転停止アーム１２４を図２４において時計方向に付勢すると共に、この回転停止アーム１２４の回動範囲をストッパーボス１２９により規制している。
　【００５１】
　従って、賞球払出ソレノイド１１４（ＳＯＬ１）のプランジャが吸引されて傾動レバー１１３が上昇して係止爪１１２がスプロケット１０６に係止している状態では、連係アーム１２７の自由端側を下方から傾動レバー１１３のカム部１１３ａが押し上げ、連係杆１２６を介して回転停止アーム１２４が反時計方向に回動し、当該回転停止アーム１２４の一端は係止車１２２の回転軌跡外に位置し、係止車１２２及び連動車１２１は自由に回転可能となる。
　【００５２】
　一方、賞球払出ソレノイド１１４（ＳＯＬ１）を励磁してプランジャが下方へ突出した状態では、傾動レバー１１３が時計方向に回動するので、係止爪１１２とラチェット１０７との係止が解かれると共に連係アーム１２７の上方への押圧が解かれるので、回転停止アーム１２４がスプリング１２８の付勢により時計方向に回動し、一端が係止車１２２の回転軌跡上に位置する。この状態において賞球払出が実行されると、セフティスプロケット１２０が回転し、このセフティスプロケット１２０の回転は減速されて連動車１２１に伝達される。そして、連動車１２１は係止板部１２１ａにより係止車１２２を反時計方向に回転させるが、この係止車１２２は自由回転可能であるので、上死点を過ぎると自重により連動車１２１に先行して回動し、回転停止アーム１２４の一端に係止する。しかし、正常な賞球払出によれば賞球払出ソレノイド１１４（ＳＯＬ１）のプランジャが吸引されて傾動レバー１１３が上昇し、係止爪１１２とラチェット１０７とが係止すると共に回転停止アーム１２４が戻り回動して一端を係止車１２２の回転軌跡から後退させるので、係止車１２２は自重により下死点まで回動して待機し、連動車１２１の回転を阻害することがない。
　【００５３】
　しかし、係止爪１１２とラチェット１０７との係止が外れた状態において、所定量より多い球が賞球樋４３を通過してセフティスプロケット１２０が回転すると、回転停止レバーの一端に係止した状態の係止車１２２に追い付き、この係止車１２２の第２係止部１２２ｃに連動車１２１の係止板部１２１ａが係止し、連動車１２１の回転が阻止され、セフティスプロケット１２０の回転が阻止されて賞球の払出を停止する。従って、係止爪１１２とスプロケット１０６の係止が外れたままとなってスプロケット１０６の回転が自由になっても、不適正な賞球払出を最低限に押えることが可能である。
　【００５４】
　尚、賞球払出装置３６には、外部操作可能な流路変更部材１３０を設けて球抜き機構６１を形成し、賞球樋４３を直接球抜き樋６２に連通させて上タンク３１の球をパチンコ機１の外部に排出可能としてある。また、上記のような賞球払出装置３６を設けた機構枠セット部材４２は、下タンク３７の先端付近及び枠制御ボックス６０に設けたロック部材７８ｂ，７８ｃによりリヤプレート３４に重合状に閉止される。また、配線押え部５３の縁部に係止爪を備えた係止片７８ｄを延設し、他方、保持部であるベース本体３５′に係止孔７８ｅを設けて上記閉塞時に該係止孔７８ｅに係止片７８ｄを係脱自在にしている。
　【００５５】
　入賞球処理装置４９は、上記賞球払出装置３６の下方に位置する機構枠体の一種であるベース板５４に形成してあり、一端が入賞球誘導通路５５に臨む第１入賞球レバー１３１と、該第１入賞球レバー１３１の下流側に位置し、同じく一端が入賞球誘導通路５５に臨む第２入賞球レバー１３２とを有している。上記第１入賞球レバー１３１はほゞ中程を軸により回動自在に軸支され、一端が通路壁１３３に設けた第１の孔１３３ａを通して入賞球誘導通路５５内に突入して当該入賞球誘導通路５５を流下する入賞球が当接可能である。また、上記第１入賞球レバー１３１の他端にはウエイト部Ｗを設けて入賞球が当接していないときには、当該第１入賞球レバー１３１の上面が第１の孔１３３ａの上縁に接して一端を若干上向きにした位置で停止し、第１入賞球レバー１３１の他端に臨ませた入賞球検出スイッチ１３４（ＳＷ３）が応答しないように配置し、入賞球が一端に当接した場合には下向きに回動して入賞球検出スイッチ１３４（ＳＷ３）がオフするように構成する。
　【００５６】
　また、上記第２入賞球レバー１３２はほゞ中程を軸により回動自在に軸支され、一端が通路壁１３３に設けた第２の孔１３３ｂを通して入賞球誘導通路５５内に突入して当該入賞球誘導通路５５を流下する入賞球が当接可能である。また、上記第２入賞球レバー１３２の他端にはウエイト部Ｗを設けて入賞球が当接していないときには、当該第２入賞球レバー１３２の上面が第２の孔１３３ｂの上縁に接して一端を若干上向きにした位置で停止し、第２入賞球レバー１３２の他端に臨ませた入賞球確認スイッチ１３５（ＳＷ４）が応答しないように配置し、入賞球が一端に当接した場合には下向きに回動して入賞球確認スイッチ１３５（ＳＷ４）がオフするように構成する。
　【００５７】
　一方、上記第１の孔１３３ａ及び第２の孔１３３ｂに対向する位置には、軸１３６′により回動自在に軸着した第１ストッパ１３６を設ける。この第１ストッパ１３６は後述する入賞球ソレノイド１３７（ＳＯＬ２）の駆動により図２８に示す姿勢になったときに、入賞球が第１入賞球レバー１３１に当接する以前に、その入賞球を支えるものである。また、上記第１ストッパ１３６の下方には第２ストッパ１３８を設ける。この第２ストッパ１３８は軸１３８′により回動自在に軸着されるとと共に、上端部分に設けた連係軸１３９を第１ストッパ１３６に開設した長孔１４０に遊嵌してある。また、この第２ストッパ１３８の軸１３８′には図示していないが復帰用のコイルスプリングを巻装して第２ストッパ１３８を付勢する。更に、上記軸１３８′の側方には入賞球ソレノイド１３７（ＳＯＬ２）のプランジャの下端を枢着する。尚、この入賞球ソレノイド１３７（ＳＯＬ２）は自己保持可能なラッチングソレノイドからなる。そして、上記のような構成の入賞球処理装置４９は内部が透視可能なように透明な合成樹脂からなる機構枠セット部材４２の下方のベース板５４に形成してあり、上記入賞球ソレノイド１３７（ＳＯＬ２）のプランジャを機構枠セット部材４２を開放することなく手動により摺動可能なように外部操作ピンが設けてある。
　【００５８】
　次に、上記のような構成の入賞球処理装置４９の作動を簡単に説明すると、パチンコ機１に電源が投入された初期状態においては、入賞球ソレノイド１３７（ＳＯＬ２）が所定時間励磁されて当該ラッチングソレノイドがラッチされるので、プランジャは吸引された図２７の状態となり、第２ストッパ１３８が起立すると共に第１ストッパ１３６が起立して両ストッパ１３６，１３８は入賞球誘導通路５５を流下する入賞球を妨害することがない。そして、入賞球が発生し、この入賞球が第１入賞球レバー１３１に到達すると、この第１入賞球レバー１３１が回動し、入賞球検出スイッチ１３４（ＳＷ３）が例えばオフする。従来の入賞球処理装置４９においては、このオフ信号を賞球排出信号等として作用するが、本実施形態では更に動作を確実にするために、上記入賞球を第１入賞球レバー１３１と第１ストッパ１３６との間に保持し、上記入賞球検出スイッチ１３４（ＳＷ３）のオフが所定時間以上継続した場合に、入賞球ソレノイド１３７（ＳＯＬ２）を所定時間励磁してプランジャを下方へ突出させ、第２ストッパ１３８を回動させて下端を入賞球誘導通路５５内に突出させると共に、第１ストッパ１３６を回動させて上端部を入賞球誘導通路５５内に突出させ、第１入賞球レバー１３１と第１ストッパ１３６との間に保持した入賞球を放球する。
　【００５９】
　放球した球は、第２入賞球レバー１３２を回動させると共に、第２ストッパ１３８により保持される。第２入賞球レバー１３２が回動すると入賞球確認スイッチ１３５（ＳＷ４）がオフすると共に、上記入賞球検出スイッチ１３４（ＳＷ３）がオンする。そして、入賞球検出スイッチ１３４（ＳＷ３）がオンで入賞球確認スイッチ１３５（ＳＷ４）のオフが所定時間継続した場合に、賞球払出装置３６を作動させ、賞球の払出が完了した時点で入賞球ソレノイド１３７（ＳＯＬ２）を所定時間励磁してプランジャを吸引し、第２ストッパ１３８を復帰させて第２入賞球レバー１３２との間に保持した入賞球を放球すると共に、第１ストッパ１３６を復帰させて、１入賞球に関する入賞球処理を終了する。
　【００６０】
　遊技盤制御基板（回路）は後述する遊技盤制御ボックス５１に収設してあり、この遊技盤制御ボックス５１は取付部材１４１及び役物中継基板１４２を有する中継手段を介して遊技盤１５の所定位置に着脱自在に取り付ける。また、遊技盤１５の裏面側に着脱自在に取り付ける役物中継基板１４２には、適宜コネクタ端子ＣＮ…を設けて、中継端子板３９、可変表示装置１８、変動入賞装置１９、各種表示灯等と接続可能とすると共に、遊技盤制御回路と接続可能にする。
　【００６１】
　上記遊技盤制御ボックス５１を遊技盤１５の所定位置に着脱自在に止着する取付部材１４１は基枠部材１４３と中継部材１４４とからなり、基枠部材１４３は例えば図３０に示すように遊技盤制御ボックス５１を遊技盤１５から浮かせて他の部材、例えば入賞球誘導路を形成するセット板１４５の邪魔にならないように取り付けると共に、役物中継基板１４２を遊技盤１５の所定位置に配置するための中継手段配置部を形成するものである。上記基枠部材１４３は、正面図または背面図形状をほゞ矩形に形成した保持板部１４６の外縁から遊技盤１５に向けて脚壁部１４７を立設し、該脚壁部１４７の先端にフランジ状の取付片１４８を設けてなり、該取付片１４８には適宜位置に位置決め手段、例えば位置決めボスを突設し、この位置決めボスを遊技盤１５の適宜位置に設けた位置決め凹部に嵌合させて位置を規制する。尚、図示の実施形態では上側の位置決め凹部を長孔状に開設して微調整可能としている。また、上記取付片１４８の適宜位置に取付透孔…を開設し、この取付透孔に通したビス等を遊技盤１５に止着する。更に、上記脚壁部１４７には必要に応じて配線を通す切欠部や切欠溝を設ける。尚、図示の実施形態における脚壁部１４７は、パチンコ機１の背面側から見て左側面及び底面並びに上面の左半分に形成してあり、右側面及び上右半部分を開放させ、この開放箇所でセット板１４５を跨ぐように位置させている。尚、脚壁部１４７の底面は入賞球の誘導路を兼ねている。
　【００６２】
　上記保持板部１４６には、後述する中継部材１４４を着脱可能に保持する保持部１４９を設ける。この保持部１４９は、図示の実施形態によれば、上縁付近に横架した上保持部１４９ａと、下縁からやや上がった位置に横架した下保持部１４９ｂとからなり、両保持部１４９ａ，１４９ｂの後面側に中継部材１４４の取付舌片１５０が嵌入する。このため、保持板部１４６は全体としてやや凹陥する凹陥部１４６′を有しており、上記上保持部１４９ａは凹陥部１４６′の側縁に立ち上がるリブ部に連設した保持板ベース１５１，１５１の間に横架してある。尚、上保持部１４９ａの上縁には取付舌片１５０が入り易いように面取してあり、また保持板ベース１５１，１５１の上縁の内側角部も面取してある。
　【００６３】
　上記凹陥部１４６′には適宜リブ部を設けて補強すると共に、開口領域１５２を形成する。この開口領域１５２は、遊技盤１５の前面側に臨む表示灯のランプ或はＬＥＤ等の発光手段の交換を行うためのものである。また、上記開口領域１５２に隣接して遊技盤１５のセット板１４５から立上げる支柱（図示せず）を止着するための止着領域１５３を形成し、この止着領域１５３にはパチンコ機１の各機種別に設ける支柱に対応するように複数の止着部１５４を設ける。各止着部１５４はビス等を通す通孔１５４′と、この通孔１５４′を中心とする円形隆出部（図示せず）とからなり、当該円形隆出部の中に支柱を嵌合させて、上記通孔に通したビス等を支柱の端面に止着する。このように、予め止着領域１５３を形成しておくと、機種による設計変更がある場合であっても、設計者は上記止着領域１５３の範囲内で支柱を配置すればよいので、汎用性が高まり実用的である。
　【００６４】
　中継部材１４４は、後述する遊技盤制御ボックス５１の第１コネクタ１５５に対応する第２コネクタ１５６、中継端子板３９の中継接続端子ＣＮ１へ接続した配線コード１５８を接続するコネクタ端子ＣＮ１，ＣＮ２及び電源端子ＣＮ３、各種電気機器（可変表示装置１８，変動入賞装置１９，始動口の始動スイッチ、表示灯のランプ等）へ接続するコネクタ端子ｃｎａ，ｃｎｂ，ｃｎｃ，ｃｎｄ，ｃｎｅ，ｃｎｆ等を設けた役物中継基板１４２と、この役物中継基板１４２を取り付けた添設板１５７とからなる。該添設板１５７は透明樹脂で形成されており、コネクタ端子の役物中継基板１４２の背面側の配線パターンの状態が目視できる。この添設板１５７には上記した基枠部材１４３の保持板部１４６に係合する取付舌片１５０が設けてある。上記役物中継基板１４２は、当該役物中継基板１４２上に設けた各コネクタ端子ＣＮ…及びｃｎ…並びに第２コネクタ端子１５６の間をプリント配線により電気的に接続するためのものである。そして、上記各コネクタ端子ｃｎ…は遊技盤１５に配設した各種電気機器と適宜接続される。尚、図示の実施形態によれば、上記コネクタ端子ｃｎ…の一部を更に役物基板１４２′のコネクタ端子を介して接続している（図５参照）。また、中継端子板３９の中継接続端子ＣＮ１と各コネクタ端子ＣＮ１，ＣＮ２，ＣＮ３とをつなぐ配線コード１５８は適宜結束バンド１５９により結束して遊技盤１５またはセット板１４５等に止着して他の部材の邪魔にならないようにするとよい。
　【００６５】
　従って、上記役物中継基板１４２の中継端子板３９に接続するコネクタ端子ＣＮ…を共通にして各種電気機器に接続するコネクタ端子ｃｎ…を変更可能であるので、上記役物中継基板１４２を変更することにより、遊技盤１５を他の機種に変更しても、パチンコ機本体との電気的整合を取ることができ、パチンコ機本体を共通に使用可能である。
　【００６６】
　また、上記添設板１５７は、本体部の外縁に立上り片を設けると共に、適宜位置に上記立上り片と添設板１５７とに掛けて載置部を設ける。また一側の立上り片には係合片を設け、上記載置部との間に役物中継基板１４２を挟み込み、隅部に設けた固定部にビス等を螺着して役物中継基板１４２を添設板１５７に固定する。尚、上記ビスに変えて立上り片に爪片を設けて係止するようにしてもよい。
　【００６７】
　そして、上記のような添設板１５７の表面側に着脱自在に取り付ける遊技盤制御ボックス５１は、例えば図２９ないし図３２に示すように、深皿状の上ケース１６０と浅皿状の下ケース１６１とからなり、両ケース１６０，１６１は内部を透視可能なように透明な合成樹脂で形成する。また、この遊技盤制御ボックス５１に電磁シールド効果を付与するためシールド部材１６２を添設する。具体的に説明すると、図示の実施形態において、上ケース１６０は、遊技盤１５に取り付けた状態では背面図（パチンコ機１を前から見た場合を正面図として）の形状が縦長なほゞ矩形であって、各側壁部分は中段から平板部に向けてやや縮径する斜面部を経て当該平板部に連なる。尚、斜面部には放熱のために複数の通気孔１６３を開設する。また、一方の側壁部には第１コネクタ１５５が臨む切欠部１６４を設ける。更に、側壁部の内縁には適宜位置に内向きの係止爪を設けて上ケース１６０内に嵌着するシールド部材１６２の端縁を係止させる。
　【００６８】
　シールド部材１６２は導電性を有していればどのような材質でもよいが、加工性やコストの面から鉄板やアルミニウム板などの金属板がよく、これを上ケース１６０とほゞ相似形に成型して上ケース１６０の内面側に嵌装する。尚、シールド部材１６２にも上記上ケース１６０の通気孔１６３に対応する位置に換気孔が設けてある。また、シールド部材１６２の底板部は背抜き状に開口する観察口１６５となっており、この観察口１６５が遊技盤制御ボックス５１の平板部のほゞ全面に亙る透視部を形成する。
　【００６９】
　一方、下ケース１６１も透明な合成樹脂からなり、平板状本体部の一側に第１コネクタ１５５用に切欠状のコネクタ挿通部１６６を設けると共に、内面側（遊技盤制御ボックス５１の内側になる面）の周縁には上記上ケース１６０の内側に嵌合するリブ片を立上げる。また、下ケース１６１には、取付部材１４１に対する遊技盤制御ボックス５１の位置決めや、ガイドのためにガイドボス１６７やガイド片１６８を設ける。ガイドボス１６７は下ケース１６１の取付部の一つを筒状に延設してなり、ガイド片１６８は下ケース１６１の下方部分に棚状に突設してなり、当該ガイド片１６８の先端には引掛爪１６８ａが設けてある。
　【００７０】
　そして、上記下ケース１６１の平板状本体部の外面側（遊技盤制御ボックス５１の外側になる面）には、回路基板の裏面側のシールドを行う平板状のシールド板１６９を着脱自在に設ける。即ち、下ケース１６１の外面側の周縁に、シールド板１６９の肉厚にほゞ等しい比較的高さの低い縁片を設ける。この縁片の適宜位置、例えばコネクタ挿通部１６６を設けない長辺に沿って形成した縁片の一部に、シールド板１６９が係止可能な係止片１７０を設けると共に、コネクタ挿通部１６６側の隅部に係止部材１７１を設けて、上記係止片１７０と係止部材１７１とでシールド板１６９を止着するのである。
　【００７１】
　上記のような下ケース１６１にシールド板１６９を止着するには、当該シールド板１６９の一側を係止片１７０の下に挿入して係止させると共に、係止部材１７１を回動させて押圧部でシールド板１６９を押圧するのである。即ち、額縁の裏蓋を止めるようにしてシールド板１６９を止着するのである。尚、上記ビスは、下ケース１６１と上ケース１６０との止着ばかりではなく、各部材を電気的に導通する役目も果たしており、上記ビスをネジ孔に螺着することにより上ケース１６０のシールド部材１６２が回路基板（遊技盤制御基板）のアース母線と密接して導通すると共に、シールド板１６９が係止部材１７１及びビスを介してシールド部材１６２に導通し、結局、シールド板１６９も回路基板のアース母線と導通する。そして、回路基板からアース線を通してパチンコ店の島の構造材等に接地する。このようにシールド板１６９が着脱できるので、回路基板１７４の裏面側の配線パターンの状態が下ケース１６１を通して目視できる。
　【００７２】
　一方、前記した添設板１５７の下縁の表面側には、遊技盤制御ボックス５１の下ケース１６１に設けたガイド片１６８を載置して遊技盤制御ボックス５１を適正位置に案内する案内棚１７２を設ける。即ち、この案内棚１７２の横幅をガイド片１６８の横幅にほゞ等しく形成して遊技盤制御ボックス５１の左右の位置を規制すると共に、ガイド片１６８の引掛爪１６８ａを案内棚１７２の前縁に設けた掛止縁１７２ａに掛止させて高さ位置を規制することができる。また、遊技盤制御ボックス５１のガイドボス１６７に対応する筒状受部１７３を上縁角部に延設する。従って、遊技盤制御ボックス５１のガイド片１６８を案内棚１７２に載せると、遊技盤制御ボックス５１の上下方向の位置と左右方向の位置が自ずと決るので、この状態で遊技盤制御ボックス５１を遊技盤１５側に押圧すれば、第１コネクタ１５５と第２コネクタ１５６とが嵌合すると共に、ガイドボス１６７が筒状受部１７３内に嵌合するので、遊技盤制御ボックス５１を適正な位置に極めて容易に取り付けることができる。そして、この取付作業の際に、遊技盤制御ボックス５１を不用意に動かして第１コネクタ１５５及び第２コネクタ１５６を痛めることもない。尚、このとき、後述する回路基板に設けた解除レバーが第２コネクタ１５６の端部により押圧されて元に戻る。
　【００７３】
　尚、図面には表示していないが、下ケース１６１の外側面で第１コネクタ１５５の近傍にはストッパ片を設けて、役物中継基板１４２との間隔を確保してある。
　【００７４】
　上記のような遊技盤制御ボックス５１に収納する回路基板（遊技盤制御基板）１７４には可変表示装置１８や変動入賞装置１９等、ゲームに関わる遊技盤制御回路等を形成し、当該回路基板１７４には第１コネクタ１５５として例えば雌型の多ピンコネクタを設ける。このコネクタは解除レバー１７５を有するもので、この解除レバー１７５は両端の回動部をコネクタベース部に軸着してなり、解除レバー１７５を回動させることにより、回動部が役物中継基板１４２に設けた第２コネクタ１５６としての雄型コネクタを押し出すように作用する。また、解除レバー１７５には、突出部１７６が形成してあり、該突出部１７６は第１コネクタ１５５に隣接して設けた電源コネクタＣＮ３の前面に臨み、当該電源コネクタを外さないと解除レバー１７５を操作できないようになっている。従って、電力が遊技盤制御回路等に供給されている状態のときは第１コネクタ１５５を取付部材１４１の第２コネクタ１５６から外すことができないようになっており、遊技盤制御回路を電気的に保護している。
　【００７５】
　そして、遊技盤制御回路を遊技盤１５に配置する各種役物に対応して形成しても、前記した役物中継基板１４２によりパチンコ機本体側との電気的に整合を図ることができ、パチンコ機本体を各種遊技盤１５に広範囲に適用可能となる。
　【００７６】
　次に、上記のような構成のパチンコ機１の動作、主に枠制御回路に関連する動作を説明する。図３３は上記のような構成のパチンコ機１における各基板の結線図であり、図３４に示すフローチャート、図３５はタイミングチャートである。枠制御回路は上記フローチャートに従う処理プログラムにより制御されており、この処理プログラムは１１個のジョブプログラムとタイマ割込プログラムから構成されている。
　【００７７】
　初期プログラム１（ｉｎｉｔ１）は、ＣＰＵの初期設定を行い、初期プログラム２（ｉｎｉｔ２）は枠制御回路の処理プログラムに必要なシステムの初期設定を行う。ＪＯＢ＿Ａは入賞球に関する処理を実行し、ＪＯＢ＿Ｂは完了入力に関する処理を実行し、ＪＯＢ＿Ｄは賞球、アウト球カウントに関する処理を実行し、ＪＯＢ＿Ｅは入賞球排出に関する処理を実行し、ＪＯＢ＿Ｆは発射制御に関する処理を実行し、ＪＯＢ＿ＧはＬＥＤ表示に関する処理を実行し、ＪＯＢ＿Ｈはソレノイドトリガに関する処理を実行し、テストプログラムは各部の動作確認を実行し、ウオッチドグトリガプログラムは誤動作を監視し、タイマ割込プログラムは割込処理を実行する。
　【００７８】
　更に具体的に説明すれば、電源を投入すると、枠制御回路はラッチングソレノイドからなる賞球払出ソレノイドＳＯＬ１、入賞球ソレノイドＳＯＬ２、上皿ソレノイドＳＯＬ３を夫々所定時間例えば５０ｍｓ宛に吸方向へ順次駆動すると共に、ＬＥＤ表示部（９０）に初期化表示”００”を表示する（ｉｎｉｔ２）。
　【００７９】
　遊技者が操作グリップ（２６）を握ってタッチ入力が”Ｌ”になると、１分間に９９回の駆動パルスを発射ソレノイド（２７）に出力して打球の発射が可能になる。尚、上記タッチ入力が”Ｌ”でもオーバーフロースイッチＳＷ５が３秒以上”Ｈ”になると発射パルスを禁止し、また、外部入力から”Ｈ”入力（発射制御信号）を感知している間は発射を禁止している（ＪＯＢ＿Ｆ）。
　【００８０】
　そして、遊技者が発射した打球が入賞口へ入賞した場合には、この入賞球球は遊技盤（１５）の背面側へ取り込まれて球寄せ通路を通って入賞球処理装置（４９）へ導かれる。入賞球処理装置（４９）において、入賞球検出スイッチＳＷ３が入賞球を検出してオンすると、賞球表示灯Ｌ１が点灯し、入賞球ソレノイドＳＯＬ２を突方向へ５０ｍｓ駆動する。この時、入賞球は入賞球検出スイッチＳＷ３の位置から入賞球確認スイッチＳＷ４の位置に移動する。また、枠制御回路は、上記と同時に遊技盤制御回路に対して入賞球の存在を知らせるＩＮＱ信号（賞球問い合わせ信号、入賞球を感知した場合に枠制御回路から遊技盤制御回路に対して出力され、遊技盤制御回路に賞球個数信号であるＳＰＵＬＳＥ信号の送出を促す）を送信する。一方、遊技盤制御回路は、ＲＥＡＤＹ信号（待機信号）と、当該ＲＥＡＤＹ信号と同期してＳＰＵＬＳＥ信号（賞球数信号）を返送する。そして、枠制御回路は上記ＳＰＵＬＳＥ信号に基づいて賞球個数を決定し、この賞球個数をＬＥＤ表示部（９０）に表示する（ＪＯＢ＿Ａ）。尚、上記各信号は本体端子板（３８）及び中継端子板（３９）並びに役物中継端子板（１４２）を経由して枠制御回路と遊技盤制御回路との間で交信される。
　【００８１】
　そして、枠制御回路は賞球検出スイッチＳＷ１が連続して例えば５００ｍｓ以上”Ｈ”であることにより賞球樋に球があることを確認後、賞球払出ソレノイドＳＯＬ１を突方向へ駆動へ５０ｍｓ駆動し、賞球の払出を開始する。
　【００８２】
　賞球個数を賞球計数検出スイッチＳＷ２が読取り、ＳＰＵＬＳＥ信号による個数と一致すると賞球払出ソレノイドＳＯＬ１を吸方向に５０ｍｓ駆動し、賞球の払出を停止する。また、これと同時に入賞球ソレノイドＳＯＬ２を吸方向に５０ｍｓ駆動して入賞球を排出し、更に賞球表示灯Ｌ１を消灯して賞球動作を終了する。尚、賞球検出スイッチＳＷ１が５００ｍｓ以上連続して”Ｈ”の状態を検出しないと賞球の払出を行わず、この状態が３秒以上継続すると、賞球動作を中断して条件が整うまでＬＥＤ表示部（９０）に”Ｅ１”を表示する。そして、賞球検出スイッチＳＷ１が５００ｍｓ連続して”Ｈ”となれば、エラーを解除して賞球動作を再開する。
　【００８３】
　外部から発射制御信号（Ｈ入力）が送られていない”Ｌ”レベルのときに、上タンクに球が無くなり完了スイッチＳＷ０が”Ｌ”になると、完了表示灯Ｌ２が点灯し、完了スイッチＳＷ０のオンが４秒以上続くと上皿ソレノイドＳＯＬ３を突方向へ５０ｍｓ駆動して上皿シャッタ（３０）を閉じ、球の供給を停止する。一方、完了スイッチＳＷ０がオフして”Ｈ”になると、完了表示灯Ｌ２を消灯し、上皿ソレノイドＳＯＬ３を吸方向に５０ｍｓ駆動し、上皿シャッタ（３０）を開放する。尚、外部から発射制御信号（Ｈ入力）が入力されて”Ｈ”レベルのときは、完了スイッチＳＷ０の状態に関係なく完了表示灯Ｌ２を点灯すると共に、発射ソレノイド（２７）の出力を停止する（ＪＯＢ＿Ｂ）。
　【００８４】
　下皿（１０）に球が一杯になってオーバーフロースイッチＳＷ５が３秒以上”Ｈ”（球有り状態）になると、賞球払出し動作を停止する。尚、賞球払出し中に”Ｈ”になると、その回の動作が終了するまでは、賞球払出ソレノイドＳＯＬ１及び入賞球ソレノイドＳＯＬ２は作動する。
　【００８５】
　アウト球通路（５７）に設けたアウト球検出スイッチ（５８）からＯＴ入力として入力されるアウト球の個数と入賞球数（賞球動作回数）とを合算し、合計が１０になる毎にＯＴ信号（アウト球情報）を１パスル（６０ｍｓ）出力する。また、払い出した賞球数を累積し、賞球数が１０個になる毎にＳＫ信号（賞球数量情報）を１パスル（６０ｍｓ）出力する。尚、１０に満たない余り数は、リセットか電源がオフされない限り枠制御回路内の内部メモりに残り、次の賞球数に加算される（ＪＯＢ＿Ｄ）。
　【００８６】
　枠制御基板に設けた排出スイッチＳ３を押すと、賞球払出動作を実行することなく入賞球を全て強制的に排出することができる。即ち、排出スイッチＳ３を２００ｍｓ以上押すと排出モードとなり、賞球払出ソレノイドＳＯＬ１、入賞球ソレノイドＳＯＬ２が吸動作する。そして、入賞球検出スイッチＳＷ３が入賞球を検出して”Ｈ”ならば入賞球ソレノイドＳＯＬ２が突動作を行い、入賞球が入賞球確認ＳＷ４の位置へ移動する。枠制御回路は賞球動作と同様に遊技盤回路に対してＩＮＱ信号を送信し、ＲＥＡＤＹ信号及びＳＰＵＬＳＥ信号の返送を確認する。一方、遊技盤回路はＲＥＡＤＹ信号及びＳＰＵＬＳＥ信号を送信して入賞球記憶を１減算する。入賞球が入賞球検出スイッチＳＷ３から入賞球確認ＳＷ４へ移動したのを確認すると、入賞球ソレノイドＳＯＬ２は吸動作を行い、この吸動作により入賞球が排出され、１個の排出動作が終了する。そして、３秒間入賞球検出スイッチＳＷ３に次の入賞球（排出すべき球）が有るか確認し、入賞球が有れば上記排出動作を繰り返し、入賞球がなければ１秒間待機した後、リセットして排出モードを終了する（ＪＯＢ＿Ｅ）。
　【００８７】
　賞球払出ソレノイドＳＯＬ１、入賞球ソレノイドＳＯＬ２、上皿ソレノイドＳＯＬ３は、次に逆方向の動作が有るまで、５秒間隔で直前に駆動された方向と同じ方向に動作し、動作を確実なものとしている。尚、賞球動作や排出動作等他の動作と重なった場合には他の動作を優先する（ＪＯＢ＿Ｈ）。
　【００８８】
　電源部では入力ＡＣ２４Ｖを全波整流してＤＣ２４Ｖ（脈流）を得ているが、何等かの原因で停電して約ＤＣ１５．５Ｖに低下すると、停電検出部が作動して瞬停検出信号”Ｈ”が出力される。この瞬停検出信号が出力されると、速やかに賞球ソレノイドＳＯＬ１を吸方向に駆動して、誤った賞球動作を防止する（ウオッチドックトリガプログラム）。
　【００８９】
　ＬＥＤ表示部（９０）は、賞球動作中の賞球数を表示すると共に、賞球動作中にエラーが発生した場合には、そのエラー状態に応じて”Ｅ１、Ｅ２、Ｅ３、Ｅ５”を表示する。”Ｅ１”は、賞球検出スイッチＳＷ１の”Ｈ”状態が５００ｍｓ以上連続検出されない場合に３秒後に表示される。このエラーは、上タンク（３１）または下タンク（３７）等に賞球用の球がない場合やこの部分で球詰まりを起こした時に発生する。”Ｅ２”は、遊技盤回路からのＳＰＵＬＳＥ数と賞球計数検出スイッチＳＷ２のカウント数が一致しない場合に３秒後に表示する。このエラーは、払い出そうとした個数に対して実際に払い出した個数が不足した場合、もしくは払い出しが途中で停止した場合に発生する。”Ｅ３”は、入賞球ソレノイドＳＯＬ２が吸動作後、入賞球確認ＳＷ４が”Ｌ”にならないか又は、入賞球ソレノイドＳＯＬ２が突動作後に入賞球検出スイッチＳＷ３が”Ｌ”にならない場合や入賞球確認ＳＷ４が”Ｈ”にならない場合に、３秒後に表示する。このエラーは、入賞球が入賞球検出スイッチＳＷ３又は入賞球確認ＳＷ４の部分で停止して排出されない場合に発生する。”Ｅ５”は、枠制御回路がＩＮＱ信号を送出した後、遊技盤制御回路のＲＥＡＤＹ信号がオンにならないか、オンの後オフにならない場合に、３秒後に表示する。このエラーは、遊技盤制御回路が接続されていないか、もしくは接続不良の場合に発生する。そして、エラー状態が復帰すると、ＬＥＤ表示部（９０）は賞球数を２桁表示するか、または初期状態”００”を表示する（ＪＯＢ＿Ｇ）。
　【００９０】
　ＬＥＤ表示部（９０）には各スイッチＳＷ１，２，３，４及びソレノイドＳＯＬ１，２，３の状態を表示することができ、表示状態を表示切替スイッチＳ２により順次切替ることができる。このとき、ＬＥＤ表示部（９０）の左側のＬＥＤが表示する”１”から”４”までの数字は各々賞球検出スイッチＳＷ１、入賞球検出スイッチＳＷ３、入賞球確認ＳＷ４に対応し、右側のＬＥＤが表示する”０”または”１”の数字は球の有無を示す。例えば、ＬＥＤ表示部（９０）が”３１”を示しているときの意味は、入賞球検出スイッチＳＷ３が球を検出して”Ｈ”レベル信号を出していることを意味する。また、左側のＬＥＤが表示する”５”から”７”の数字は各々賞球払出ソレノイドＳＯＬ１、入賞球ソレノイドＳＯＬ２、上皿ソレノイドＳＯＬ３に対応し、右側のＬＥＤが示す”０”は吸状態を、”１”は突状態を意味している。例えば、”６０”は入賞球ソレノイドＳＯＬ２が吸状態にあることを示している（ＪＯＢ＿Ｇ）。
　【００９１】
　図３６は本発明に係るパチンコ機１における入賞球処理と賞球払出処理の他の実施形態を示すフローチャートの一部であり、図３７はその信号の系統図である。そして、この実施形態によれば、入賞球を感知したときに、枠制御回路から遊技盤制御回路へ出力される前記実施形態における賞球問合わせ信号（ＩＮＱ信号）を省略することができる。
　【００９２】
　即ち、この実施形態においては入賞球処理装置４９に設けた入賞球確認スイッチＳＳＷ（符号１３５：前記実施形態におけるＳＷ４と同じもの）からの信号を図３８の概略結線図に示すように、遊技盤制御回路に入力するものである。このような変更を実施する場合であっても、配線経路を大幅に変更することなく、各中継基板のコネクタ端子を変更することにより極めて容易に行うことが可能であり、広範なパチンコ機に適用することができる。
　【００９３】
　次に、この実施形態における賞球動作を図３９のタイミングチャート等を参照して簡単に説明する。入賞球検出スイッチＳＷ３（１３４）が入賞球を検出してオンすると、賞球表示灯Ｌ１が点灯し、入賞球ソレノイドＳＯＬ２（１３７）を突方向へ５０ｍｓ駆動する。この時、入賞球は入賞球検出スイッチＳＷ３の位置から入賞球確認スイッチＳＳＷの位置に移動する。入賞球確認スイッチＳＳＷが入賞球を検出すると、遊技盤制御回路は枠制御回路に対してＲＥＡＤＹ信号（待機信号）と当該ＲＥＡＤＹ信号に同期するＳＰＵＬＳＥ信号（賞球数信号）を送信する。そして、枠制御回路は上記ＳＰＵＬＳＥ信号に基づいて賞球個数を決定し、この賞球個数をＬＥＤ表示部（９０）に表示する。
　【００９４】
　そして、枠制御回路は賞球検出スイッチＳＷ１（１０３）が連続して例えば５００ｍｓ以上”Ｈ”であることにより賞球樋に球があることを確認後、賞球払出ソレノイドＳＯＬ１を突方向へ駆動へ５０ｍｓ駆動し、賞球の払出を開始する。
　【００９５】
　賞球個数を賞球計数検出スイッチＳＷ２が読取り、ＳＰＵＬＳＥ信号による個数と一致すると賞球払出ソレノイドＳＯＬ１を吸方向に５０ｍｓ駆動し、賞球の払出を停止する。また、これと同時に入賞球ソレノイドＳＯＬ２を吸方向に５０ｍｓ駆動して入賞球を排出し、更に賞球表示灯Ｌ１を消灯して賞球動作を終了する。尚、賞球検出スイッチＳＷ１が５００ｍｓ以上連続して”Ｈ”の状態を検出しないと賞球の払出を行わず、この状態が３秒以上継続すると、賞球動作を中断して条件が整うまでＬＥＤ表示部（９０）に”Ｅ１”を表示する。そして、賞球検出スイッチＳＷ１が５００ｍｓ連続して”Ｈ”となれば、エラーを解除して賞球動作を再開する。
　【００９６】
　上記のような入賞球の処理によっても賞球の払出を確実且つ正確に実行することができる。
　【００９７】
　以上本発明を図面の実施形態について説明したが、本発明は上記した実施形態に限定されるものではなく、特許請求の範囲に記載した構成を変更しない限り適宜に実施できる。
　【００９８】
　【発明の効果】
　以上要するに本発明は、外枠に前枠を蝶着し、該前枠に対して遊技盤を分離可能にするパチンコ機において、前記前枠の裏面側には、前記遊技盤に設けられた入賞口への入賞検出に基づいて、枠制御基板に
賞球数
と共に、遊技情報をホールコンピュータへ送出するための中継接続端子を備えた中継端子板と接続される
賞球数
と共に、遊技情報をホールコンピュータへ送信する中継コネクタ端子を備えた中継端子板に接続される
と
とからなる入賞球が通る一連の球通路と
と、
き
【図面の簡単な説明】
　【図１】
　パチンコ機の正面図である。
　【図２】
　パチンコ機の背面図である。
　【図３】
　パチンコ機において機構枠セット部材の一部を欠截した状態の背面図である。
　【図４】
　パチンコ機において機構枠セット部材を開放した状態の背面図である。
　【図５】
　遊技盤の背面図である。
　【図６】
　整流樋ユニットを示し、（Ａ）は平面図、（Ｂ）は正面図である。
　【図７】
　整流樋ユニットの固定側部材を示し、（Ａ）はＡ−Ａ線端面図、（Ｂ）はＢ−Ｂ線端面図、（Ｃ）はＣ−Ｃ線端面図、（Ｄ）は平面図、（Ｅ）は正面図である。
　【図８】
　整流樋ユニットの可動側部材を示し、（Ａ）はＡ−Ａ線端面図、（Ｂ）はＢ−Ｂ線端面図、（Ｃ）は平面図、（Ｄ）は正面図である。
　【図９】
　ベース本体に上タンク、下タンク、本体端子板を取り付けた状態を示す背面図である。
　【図１０】
　上タンクの平面図である。
　【図１１】
　上タンクの分解斜視図である。
　【図１２】
　図１０のＡ−Ａ線断面図である。
　【図１３】
　図１０のＢ−Ｂ線断面図である。
　【図１４】
　図１０のＣ−Ｃ線断面図である。
　【図１５】
　完了基板の部品配置図である。
　【図１６】
　完了基板の配線図である。
　【図１７】
　本体端子基板周辺の縦断面図である。
　【図１８】
　本体端子板のカバーを示し、（Ａ）は平面図、（Ｂ）は左側面図、（Ｃ）は正面図である。
　【図１９】
　本体端子板の部品配置図である。
　【図２０】
　本体端子板の配線図である。
　【図２１】
　枠制御回路のブロック図である。
　【図２２】
　枠制御基板の部品配置図である。
　【図２３】
　賞球払出装置を示し、（Ａ）は背面図、（Ｂ）は縦断面図、（Ｃ）は正面図である。
　【図２４】
　払出停止機構の正面図である。
　【図２５】
　払出停止機構の縦断面図である。
　【図２６】
　入賞球処理装置を設けたベース板の背面図である。
　【図２７】
　入賞球処理装置の第１の動作状態を説明する端面図である。
　【図２８】
　入賞球処理装置の第２の動作状態を説明する端面図である。
　【図２９】
　遊技盤制御ボックスを中継手段を介して遊技盤の裏面側に設けた状態の一部欠截断面図である。
　【図３０】
　同上の横断面図である。
　【図３１】
　中継手段を示し、（Ａ）は基枠部材の正面図、（Ｂ）は役物中継基板を添設した添設板を基枠部材に取り付けた状態の正面図、（Ｃ）は役物中継基板を添設した添設板を基枠部材に取り付けた状態の縦断面図である。
　【図３２】
　遊技盤制御ボックスを示し、（Ａ）は正面図、（Ｂ）は縦断面図、（Ｃ）は背面図である。
　【図３３】
　パチンコ機における各基板の結線図である。
　【図３４】
　枠制御回路のフローチャートである。
　【図３５】
　賞球動作のタイミングチャートである。
　【図３６】
　他の実施形態のフローチャートの一部である。
　【図３７】
　他の実施形態における信号の系統図である。
　【図３８】
　他の実施形態の概略結線図である。
　【図３９】
　他の実施形態における賞球動作のタイミングチャートである。
　【符号の説明】
　　１　パチンコ機
　　２　前枠
　　３　外枠
　１５　遊技盤
　３６　賞球払出装置
　３８　本体端子板
　３９　中継端子板
　４７　リヤカバー
　４９　入賞球処理装置
　５１　遊技盤制御回路を収納した遊技盤制御ボックス
　５５　入賞球誘導路
　６０　枠制御回路を収納した枠制御ボックス
　８０　カバー
　９０　表示部